(57)【要約】      （修正有）【課題】捕虫器のための交換可能なインサートを提供する。【解決手段】インサート２０５０は、接着部２０５２、リザーバ２０７６、及びフレーム２０４２を有し、インサート２０５０は、頂部２０７０及び底部２０７２と、交換可能なインサートを側部に分割する頂部２０７０から底部２０７２まで延在する長手方向中心線２０９２とを有する。タブ２０６４は、実質的に平面状の領域を有し、接着部２０５２から離れて（すなわち下方に）延在する細長いタブとすることができる。タブ２０６４は、一方側に第１の側縁部２０４２を、他方側に第２側縁部２０４４を有することができる。タブ２０４４は、タブ２０４４がインサート２０５０の長手方向中心線２０９２から横方向にオフセットされるように、インサート２０５０に対して位置決めされる。【選択図】図３７
2020202871.tif 000002
【特許請求の範囲】
【請求項１】
捕虫カートリッジと共に使用するための交換可能なインサートであって、
頂部及び底部、並びに前記頂部から前記底部に延在して前記交換可能なインサートを横方向側部に分割する長手方向中心線を有する、虫を捕獲するための細長い実質的に平面状の接着面と、
第１の側縁部及び第２の側縁部を有する実質的に平面状の細長いタブであって、前記タブは、前記接着面から離れて延在し、前記タブの前記第１の側縁部及び前記第２の側縁部は各々、前記長手方向中心線から横方向にオフセットされ、前記交換可能なインサートの同じ横方向側部に位置する、タブと、
を備える、交換可能なインサート。
【請求項２】
前記タブは、約１ｍｍ〜約１４ｍｍ、好ましくは約５ｍｍ〜約１３ｍｍの幅、及び約８ｍｍ〜約５０ｍｍ、好ましくは約１０ｍｍ〜約１８ｍｍの長手方向長さ、及び約８ｍｍ〜約５０ｍｍ、好ましくは約１０ｍｍ〜約１８ｍｍの長さを有する、請求項１に記載のインサート。
【請求項３】
前記接着面を少なくとも部分的に取り囲むフレームを更に備える、請求項１〜２のいずれか一項に記載のインサート。
【請求項４】
前記タブは、前記フレームから垂下する、請求項３に記載のインサート。
【請求項５】
前記タブは、前記フレームと一体的である、請求項３に記載のインサート。
【請求項６】
前記インサートは、約２ｃｍ〜約１０ｃｍの全長、及び約２ｃｍ〜約９ｃｍの全幅を有する、請求項１〜５のいずれか一項に記載のインサート。
【請求項７】
前記インサートは、約０．０５〜約３ｍｍ、好ましくは約１ｍｍ〜約２ｍｍの全厚を有する、請求項１〜６のいずれか一項に記載のインサート。
【請求項８】
前記接着面は、約１．５ｃｍ〜約９．５ｃｍの全長、及び約１．５ｃｍ〜約８．５ｃｍの全幅を有する、請求項１〜７のいずれか一項に記載のインサート。
【請求項９】
前記タブは、前記接着面と実質的に同じ平面内で離れて延在する、請求項１〜８のいずれか一項に記載のインサート。
【請求項１０】
前記タブは、底部の最近位点から少なくとも１０ｍｍ遠位に延在する長手方向長さを有する前記底部を有する、請求項１〜９のいずれか一項に記載のインサート
【請求項１１】
前記タブの前記底部は、約１ｍｍ〜約１４ｍｍ、好ましくは約５ｍｍ〜約１３ｍｍの最大全幅、及び約８ｍｍ〜約５０ｍｍ、好ましくは約１０ｍｍ〜約１８ｍｍの長手方向長さを有する、請求項１０に記載のインサート。
【請求項１２】
捕虫カートリッジと共に使用するための交換可能なインサートであって、
頂部及び底部、並びに前記頂部から前記底部に延在する長手方向中心線を有する、虫を捕獲するための細長い実質的に平面状の接着面と、
実質的に平面状の領域を有し、前記接着面から離れて延在する細長いタブであって、前記タブの前記実質的に平面状の領域は、前記長手方向中心線と重ならない、細長いタブと、
を備え、
前記タブの前記長手方向中心線は、前記接着面の前記長手方向中心線から約１１ｍｍ〜約１５ｍｍ横方向にオフセットされ、
前記タブは、前記底部の前記幅の２５％未満である幅を有する、交換可能なインサート。
【請求項１３】
前記タブは、約１ｍｍ〜約１４ｍｍ、好ましくは約５ｍｍ〜約１３ｍｍの幅、及び約８ｍｍ〜約５０ｍｍ、好ましくは約１０ｍｍ〜約１８ｍｍの長手方向長さ、及び約８ｍｍ〜約５０ｍｍ、好ましくは約１０ｍｍ〜約１８ｍｍの長さを有する、請求項１２に記載のインサート。
【請求項１４】
前記接着面を少なくとも部分的に取り囲むフレームを更に備える、請求項１２及び１３のいずれか一項に記載のインサート。
【請求項１５】
前記タブは、前記フレームから垂下する、請求項１４に記載のインサート。
【請求項１６】
前記タブは、前記フレームと一体型である、請求項１４に記載のインサート。
【請求項１７】
前記インサートは、約２ｃｍ〜約１０ｃｍの全長、及び約２ｃｍ〜約９ｃｍの全幅を有する、請求項１２及び１６のいずれか一項に記載のインサート。
【請求項１８】
前記インサートは、約０．０５〜約３ｍｍ、好ましくは約１ｍｍ〜約２ｍｍの全厚を有する、請求項１２及び１７のいずれか一項に記載のインサート。
【請求項１９】
前記接着面は、約１．５ｃｍ〜約９．５ｃｍの全長、及び約１．５ｃｍ〜約８．５ｃｍの全幅を有する、請求項１２及び１８のいずれか一項に記載のインサート。
【請求項２０】
前記タブは、前記接着面と実質的に同じ平面内で離れて延在する、請求項１２及び１９のいずれか一項に記載のインサート。
【請求項２１】
前記タブは、底部の最近位点から少なくとも１０ｍｍ遠位に延在する長手方向長さを有する前記底部を有する、請求項１２及び２０のいずれか一項に記載のインサート。
【請求項２２】
前記タブの前記底部は、約１ｍｍ〜約１４ｍｍ、好ましくは約５ｍｍ〜約１３ｍｍの最大全幅、及び約８ｍｍ〜約５０ｍｍ、好ましくは約１０ｍｍ〜約１８ｍｍの長手方向長さを有する、請求項２１に記載のインサート。
【請求項２３】
捕虫カートリッジと共に使用するための交換可能なインサートであって、
頂部及び底部、並びに前記頂部から前記底部に延在する長手方向中心線を有する、虫を捕獲するための細長い実質的に平面状の接着面と、
長手方向中心線を有する実質的に平面状の細長いタブであって、前記タブは、前記接着面から離れるように延在し、前記タブの前記長手方向中心線は、前記接着面の前記長手方向中心線から約１１ｍｍ〜約１５ｍｍ横方向にオフセットされている、タブと
を備え、
前記タブは、前記底部の前記幅の２５％未満である幅を有する、交換可能なインサート。
【請求項２４】
前記タブは、約１ｍｍ〜約１４ｍｍ、好ましくは約５ｍｍ〜約１３ｍｍの幅、及び約８ｍｍ〜約５０ｍｍ、好ましくは約１０ｍｍ〜約１８ｍｍの長手方向長さ、及び約８ｍｍ〜約５０ｍｍ、好ましくは約１０ｍｍ〜約１８ｍｍの長さを有する、請求項２３に記載のインサート。
【請求項２５】
前記接着面を少なくとも部分的に取り囲むフレームを更に備える、請求項２３及び２４のいずれか一項に記載のインサート。
【請求項２６】
前記タブは、前記フレームから垂下する、請求項２５に記載のインサート。
【請求項２７】
前記タブは、前記フレームと一体型である、請求項２５に記載のインサート。
【請求項２８】
前記インサートは、約２ｃｍ〜約１０ｃｍの全長、及び約２ｃｍ〜約９ｃｍの全幅を有する、請求項２３及び２７のいずれか一項に記載のインサート。
【請求項２９】
前記インサートは、約０．０５〜約３ｍｍ、好ましくは約１ｍｍ〜約２ｍｍの全厚を有する、請求項２３及び２８のいずれか一項に記載のインサート。
【請求項３０】
前記接着面は、約１．５ｃｍ〜約９．５ｃｍの全長、及び約１．５ｃｍ〜約８．５ｃｍの全幅を有する、請求項２３及び２８のいずれか一項に記載のインサート。
【請求項３１】
前記タブは、前記接着面と実質的に同じ平面内で離れて延在する、請求項２３及び３０のいずれか一項に記載のインサート。
【請求項３２】
前記タブは、底部の最近位点から少なくとも１０ｍｍ遠位に延在する長手方向長さを有する前記底部を有する、請求項２３及び３１のいずれか一項に記載のインサート。
【請求項３３】
前記タブの前記底部は、約１ｍｍ〜約１４ｍｍ、好ましくは約５ｍｍ〜約１３ｍｍの最大全幅、及び約８ｍｍ〜約５０ｍｍ、好ましくは約１０ｍｍ〜約１８ｍｍの長手方向長さを有する、請求項３２に記載のインサート。
【発明の詳細な説明】
【技術分野】
【０００１】
本開示は、概して、捕虫器に関し、より具体的には、携帯用捕虫器のための交換可能なインサートに関する。
【背景技術】
【０００２】
歴史的に、種々の有害生物防除装置が、虫及び他の有害生物を捕獲するために用いられてきた。虫によって拡散されている、様々な疾患、感染、及び他の健康リスクの近年の突発に伴い、有害生物防除装置のニーズは増すばかりである。このような有害生物防除装置は、典型的には有害生物防除装置に害虫をおびき寄せるための誘引機構を用いている。例示的な誘引機構としては、食品、光、フェロモン、又は有害生物によって誘引性であることが見出された他の臭気物質が挙げられる。いくつかの有害生物防除装置は、歴史的に、有害生物が有害生物防除装置から出ることを防止するための固定化機構を含んでいる。使用される１つの種類の固定化機構は、表面に接着剤がコーティングされたボード、紙、又は他の媒体などの基材である。有害生物防除装置へと誘引されるか、又は偶発的に接着剤に接触した有害生物は、接着によって捕獲される。
【０００３】
１つの種類の接着剤コーティング基材は、一般に粘着ボードと称される。包装及び輸送の目的のために、接着層は、剥離紙で被覆することができる。剥離紙は、有害生物が接着層に接触して捕獲され得るように、接着層を露出させるために使用前に取り外される。このような使い捨て粘着ボードは、有害生物防除装置の継続的な有効性を確実にし、粘着ボードによって固定化された有害生物を廃棄するために、定期的に交換される。
【０００４】
粘着ボードを製造するときに用いられる接着剤は、虫を捕獲するために有効であることが証明されているが、接着剤の性質上、有害生物防除装置からの粘着ボードの挿入及び取り外しが問題となり得る。粘着ボードの接着面が偶然に有害生物防除装置の他の面に接触した場合、接着剤は、粘着ボードをこれらの面に張り付かせるであろう。同様に、粘着ボードを設置又は取り外す人物の皮膚又は衣類が接着面に接触した場合、粘着ボードは、その人物又はその人物の衣類に張り付くことになる。粘着ボードの構成によっては、粘着ボードを取り外す人物は、捕獲された虫に不所望に接触又は接近し得る。
【０００５】
いくつかの種類の有害生物防除装置は、シェルなどの外部ハウジングの内側に取り外し不可能に装着された粘着ボードを備える。このような配置により、ユーザが粘着ボードに接触する可能性を減少させることができる。これらの有害生物防除装置のいくつかの例は、国際公開第２０１５／１６４，８４９号、同第２０１５／０８１，０３３号、及び同第２０１４／１３４，３７１号に記載されている。
【先行技術文献】
【特許文献】
【０００６】
【特許文献１】国際公開第２０１５／１６４，８４９号
【特許文献２】国際公開第２０１５／０８１，０３３号
【特許文献３】国際公開第２０１４／１３４，３７１号
【発明の概要】
【発明が解決しようとする課題】
【０００７】
しかしながら、改善の機会が存在する。実際、ユーザが捕獲された虫又は粘着剤に触れることなく、粘着ボードを容易に取り外し、廃棄することができる捕虫器を提供することが有利であろう。ユーザが使用済みの構成要素を未使用の構成要素に交換する又はシェルをベースに係合させるときなどに、ユーザが様々な構成要素を位置合わせし、構成要素の適切な配向を確実にするのを支援するように構成された捕虫器を提供することが更に有利であろう。
【０００８】
いくつかのこのような装置は、電気的構成部品を収納するベースに取り付けられた選択可能な粘着ボードを利用する。いくつかの例では、捕虫器は、液体又はゲルなどの誘引物を含み得る。漏出の場合にカートリッジ内の液体及びゲルに不用意に接触するリスクを低減する様式で装着された電気的構成要素を有する捕虫器を提供することが有利であろう。粘着ボードがベースに装着されるときスイッチを閉じることによってこのような電気的構成要素に通電し、粘着ボードをベースに装着するとき適切な配向及び位置合わせを確実にする粘着ボードを提供することが更に有利であろう。ユーザが指又は異物をベース内に挿入して、ベース内のスイッチ又は他の電気的構成要素に接触するリスクを最小化する、コンパクトな様式に構成されたスイッチを含むベースを有する捕虫器を提供することが更に有利であり、電気的構成要素のいくつかは、高電圧を伴い得る。ベース内のスイッチを閉じるための構造を有する粘着ボードであって、粘着ボード構造が上記のベースの望ましい特徴に適応する様式で配置されている、粘着ボードを提供することが、尚更に有利であろう。多くの改善の機会が上に記載されているが、以下の開示はこのような改善のいずれか又は全てを提供する装置に限定されないことが理解されるであろう。十分に持ち運び可能であり、家庭、事業所、又は他の占有空間で使用するために審美的に心地のよい捕虫器を提供することが更に有利であろう。
【課題を解決するための手段】
【０００９】
本開示は、一実施形態では、捕虫カートリッジと共に使用するための交換可能なインサートによって、上記のニーズのうちの１つ又は２つ以上を満たす。交換可能なインサートは、頂部及び底部を有する、虫を捕獲するための細長い実質的に平面状の接着面を備える。長手方向中心線は、頂部から底部に延在し、交換可能インサートを横方向側部に分割する。交換可能なインサートは、第１の側縁部及び第２の側縁部を有する実質的に平面状の細長いタブを更に備える。タブは、接着面から離れて延在する。タブの第１の側縁部及び第２の側縁部は各々、長手方向中心線から横方向にオフセットされ、交換可能なインサートと同じ横方向側部に位置する。
【００１０】
別の実施形態では、捕虫カートリッジと共に使用するための交換可能なインサートは、頂部及び底部を有する、虫を捕獲するための細長い実質的に平面状の接着面を備える。長手方向中心線は、頂部から底部に延在する。交換可能なインサートは、実質的に平面状の領域を有し、接着面から離れて延在する細長いタブを更に備える。タブの実質的に平面状の領域は、長手方向中心線と重ならない。タブの長手方向中心線は、接着面の長手方向中心線から約１１ｍｍ〜約１５ｍｍ横方向にオフセットされている。タブは、底部の幅の２５％未満である幅を有する。
【００１１】
別の実施形態では、捕虫カートリッジと共に使用するための交換可能なインサートは、頂部及び底部を有する、虫を捕獲するための細長い実質的に平面状の接着面を備える。長手方向中心線は、頂部から底部に延在する。交換可能なインサートはまた、長手方向中心線を有する実質的に平面状の細長いタブを備える。タブは、接着面から離れて延在する。タブの長手方向中心線は、接着面の長手方向中心線から約１１ｍｍ〜約１５ｍｍ横方向にオフセットされている。タブは、底部の幅の２５％未満である幅を有する。
【図面の簡単な説明】
【００１２】
本開示の上述の特徴及び利点並びに他の特徴及び利点、またそれらを実現する方法は、本開示の非限定的実施形態の以下の説明を、添付図面と併せて参照することによって、より明白となり、本開示自体が、より良好に理解されるであろう。
【図１】例示的な捕虫器を描写する。
【図２】図１に描写される捕虫器の分解図である。
【図３Ａ】図１のシェルの上面図を描写する。
【図３Ｂ】図１のシェルの底面図を描写する。
【図４】図３Ａのシェルの線４−４に沿った断面図である。
【図５】図２のインサートの上面図を描写する。
【図６】図２のインサートの正面図である。
【図７】図１のベースの等角図を描写する。
【図８Ａ】ベースに連結されるカートリッジを描写する。
【図８Ｂ】シェルから解放され、ごみ入れ内に廃棄されるインサートを描写する。
【図９】別の例示的な捕虫器のための例示的なカートリッジを描写する。
【図１０】図９のカートリッジを使用する例示的な捕虫器を描写する。
【図１１】図９のカートリッジの断面図である。
【図１２】図１１の拡大部分である。
【図１３】例示的なインサートの配置を描写する。
【図１４】例示的なインサートの配置を描写する。
【図１５Ａ】例示的なインサートの配置を描写する。
【図１５Ｂ】例示的なインサートの配置を描写する。
【図１６Ａ】例示的なインサートの配置を描写する。
【図１６Ｂ】例示的なインサートの配置を描写する。
【図１７】例示的なインサートの配置を描写する。
【図１８】例示的なインサートの配置を描写する。
【図１９Ａ】光源を有するインサートの等角図である。
【図１９Ｂ】光源を有するインサートの等角図である。
【図２０Ａ】光源及びリザーバを有するインサートの等角図である。
【図２０Ｂ】光源及びリザーバを有するインサートの等角図である。
【図２１】捕虫器の例示的なシェルを描写する。
【図２２】図２１のシェルの線２２−２２に沿った断面図である。
【図２３】図２２のシェルの、ユーザによってその外面に力が印加されたときの断面図である。
【図２４】別の例示的なインサート配置を描写する。
【図２５】別の捕虫器の例示的なシェルを描写する。
【図２６】図２５のシェルの線２６−２６に沿った断面図である。
【図２７】図２６のシェルの、ユーザによってその外面に力が印加されたときの断面図である。
【図２８】別の捕虫器の例示的なシェルを描写する。
【図２９】図２８のシェルの線２９−２９に沿った断面図である。
【図３０】図２９のシェルの、ユーザによってその外面に力が印加されたときの断面図である。
【図３１】別の例示的なインサート配置を描写する。
【図３２】閉位置にある例示的な捕虫器を描写する。
【図３３】開位置にある図３２の捕虫器を描写する。
【図３４】図３２の捕虫器の分解図である。
【図３５】図３２の捕虫器と共に使用可能な例示的なインサートを描写する。
【図３６】図３２の捕虫器と共に使用可能な例示的なインサートを描写する。
【図３７】横方向にオフセットされたタブを有する例示的なインサートを描写する。
【図３８】シェル内に位置し、ベースと係合したインサートを例示する。
【図３９】カートリッジが設置された、ベースによって画定されるチャンバの部分的切欠図を描写する。
【図４０Ａ】ベースに連結されたカートリッジ側面図を示す。
【図４０Ｂ】ベースに連結されたカートリッジ側面図を示す。
【図４１】例示的なタブの構成を描写する。
【図４２】別の例示的なタブの構成を描写する。
【図４３】更に別の例示的なタブの構成を描写する。
【図４４】例示的な非対称タブの構成を描写する。
【００１３】
特に定義されない限り、本明細書で使用されている全ての技術的用語及び科学的用語は、本発明が属する分野の当業者に共通に理解されるものと同じ意味を有している。本明細書に記載されているものと同様又は同等の方法及び材料を、本発明を実施又は試験するために使用することが可能であるが、好適な方法及び材料を以下に記載する。本明細書で言及される全ての刊行物、特許出願、特許、及び他の参考文献は、参照することによりそれらの全体が本明細書に組み込まれる。矛盾する場合、定義を含め本明細書が適用される。加えて、材料、方法、及び例は、単に例示的なものであり、限定を意図したものではない。
【００１４】
本発明の他の特徴及び利点は、以下の詳細な説明及び特許請求の範囲から明らかとなるであろう。
【発明を実施するための形態】
【００１５】
本開示は、捕虫器、捕虫器を作製する方法、及び捕虫器を使用する方法を提供する。これより、本明細書に開示される捕虫器の機能、設計、及び使用の原理の全体的理解を提供するために、本開示の様々な非限定的な実施形態を説明する。これらの非限定的実施形態の１つ以上の例を添付の図面に示す。当業者であれば、本明細書で説明され、かつ添付図面に示される方法が非限定的実施形態例であり、本開示の様々な非限定的実施形態の範囲は、特許請求の範囲によってのみ定義されることが理解されるであろう。非限定的な一実施形態に関連して例示又は記載される特徴は、他の非限定的な実施形態の特徴と組み合わせることができる。そのような修正及び変形は、本開示の範囲内に含まれるものとする。
【００１６】
ここで図１〜２を参照すると、非限定的な一実施形態に記載の例示的な捕虫器１００が描写されている。図２は、図１に描写される捕虫器１００の分解図である。捕虫器１００は、ベース１０２と、ユーザによってベース１０２に選択的に連結することができるカートリッジ１１８とを有する。カートリッジ１１８は、インサート１５０と、インサート１５０を受容するように構成されたシェル１２２とを含む。より詳細に後述するように、インサート１５０は、接着部１５２に接触した虫を固定化する接着部１５２を含むことができる。ベース１０２は、捕虫器１００を壁ソケットなどの好適な電源に差し込むことができるように、突起１１２を含むことができる。他の構成では、捕虫器１００は、搭載されたバッテリ又は他の種類の電源（すなわち、太陽光）から電力を引き出すことができる。捕虫器１００は、熱、光、化学組成物誘引物などの様々な誘引物を利用して虫を装置内に引き込むことができ、誘引物のいくつかは、動作するために電源を必要とし得る。このように、電源は、発熱素子１１０（図７）、光源１１４（図７）、及び／又は虫を捕虫器１００に誘引する働きをし得る他の構成要素などの、様々な搭載された構成要素に通電するために使用されてもよい。より詳細に後述するように、ユーザは、使用済みのインサートを未使用のインサートと交換するためになど、インサート１５０を解放するようにシェル１２２と相互作用し得る。有益なことに、シェル１２２及びインサート１５０の構造的配置のため、ユーザは、シェル１２２の特定の部分に力を印加することによってインサート１５０を解放し得る。このように、ユーザは、インサート１５０を解放及び廃棄するために、接着部１５２などのインサート１５０のいかなる部分にも物理的に接触する必要がない。
【００１７】
図３Ａは、図１に示す例示的なシェル１２２の上面図を描写し、図３Ｂは、図１に示す例示的なシェル１２２の底面図であり、図４は、図３Ａの線４−４に沿ったシェル１２２の断面図である。次に図１〜４を参照すると、シェル１２２は、前面１２６を有する前部ハウジング１２４及び後面１３０を有する後部ハウジング１２８を有し得る。前部ハウジング１２４及び後部ハウジング１２８は、互いに連結されてシェル１２２を形成する別個の部品であってもよく、又は前部ハウジング１２４及び後部ハウジング１２８は、一体的にシェル１２２を形成する一体的部品であってもよい。前部ハウジング１２４及び後部ハウジング１２８は、ひとたびインサートがシェル１２２内に着座すると、インサート１５０の接着部１５２を実質的に囲撓することができる。前面１２６は、飛翔虫又は地這虫がインサート１５０の接着部１５２に接触するように、それらの虫を受容するための１つ又は２つ以上の開口部１３２を画定し得る。図１〜４は開口部１３２の例示的な一配置を描写しているが、１つ又は２つ以上の開口部１３２のサイズ、配置、及び数は様々であり得ることが理解されるべきである。前部ハウジング１２４は、凸状であり、シェル１２２の底部において後部ハウジング１２８から離間配置されてもよく、そのため、それらは、シェル１２２の内面１３８によって画定されるキャビティ１３５へのアクセスを提供する底部開口部１３４（図２及び３Ｂ）を集合的に画定する。シェル１２２又はインサート１５０の底部は、消費者が虫を誘引及び捕獲するのに使用する間のように、シェル１２２又はインサート１５０が配向されるとき、決定される。より詳細に後述するように、いくつかの構成において、最も広い点で測定された底部開口部１３４の幅は、インサート１５０の一部分の幅よりも僅かに広くてもよい。更に、底部開口部１３４の対向する側辺は、テーパ加工されても、溝掘りされても、又はインサート１５０がユーザによってシェル１２２内へと摺動される際にインサート１５０の適切な位置合わせを補助するように他の方法で構成されてもよい。シェル１２２の頂部１２１は、実質的又は全体的に閉じていてもよい（非限定的な例として図１に示すように）。更に、頂部１２１は、インサート１５０がシェル１２２内に着座するとき、インサート１５０の頂部１５８（図６）に隣接して配設されてもよい。
【００１８】
より詳細に後述するように、インサート１５０が底部開口部１３４を通ってシェル１２２内へと摺動されると、ユーザがインサート１５０を廃棄することを希望するまで（すなわち、捕虫器１００の長期使用後に）インサート１５０がシェル１２２内に保持されるように、シェル１２２は、インサート１５０に機械的に係合するように構成することができる。例えば、いくつかの構成において、シェル１２２は、インサート１５０の対応する素子に選択的に係合又は他の方法で係止する突起部又は他の特徴を含み得る。他の構成では、摩擦嵌め（締り嵌め又はプレス嵌めと称される場合がある）を利用してもよく、インサート１５０の外幅は、シェル１２２の内幅を僅かに超える。利用される機械的係合の種類にかかわらず、インサート１５０は、ユーザがシェル１２２の外面の１つ又は２つ以上の指定された領域に内向きの力を選択的に印加することによって、シェル１２２から選択的に解放され得る。
【００１９】
図５は、例示的なインサート１５０の上面図を描写し、図６は、インサート１５０の正面図である。次に図１〜６を参照すると、インサート１５０は、接着部１５２が取り付けられるフレーム１６６を備える。本明細書で使用するとき、フレーム１６６は、一般に、中央開口部１６７を画定する構造部材（図２）を意味することができる。フレーム１６６は、中央開口部１６７の全体的なサイズに対して厚さ及び幅を薄くすることができる。フレーム１６６は中心開口部１６７の全体を取り囲むように図２に示されているが、他の構成では、フレーム１６６は、中央開口部１７６を部分的にのみ取り囲むことができる。接着部１５２は、シェル１２２の開口部１３２のうちの１つを通って捕虫器１００に進入して接着剤に接触した虫を固定化するためのものである。いくつかの実施形態では、接着部１５２は、接着剤（又は接着剤を含む接着剤組成物）を含み、接着剤又は接着剤組成物は、基材上にコーティングされるか、又は別の方法で基材に塗布されるか、若しくは基材内に組み込まれる。接着剤は、感圧性接着剤であり得る。いくつかの実施形態では、接着剤は、例えば、アクリル系ポリマー、ブチルゴム、天然ゴム、ニトリル、シリコーン、スチレンブロックコポリマー、スチレン−エチレン／プロピレン、スチレン−イソプレン−スチレン、及び／若しくはビニルエーテル系接着剤、又はそれらの混合物である。基材は、フィルム、織物、又は不織物（紙類を含む）などの幅広い形態で提供され得る。いくつかの実施形態では、基材は、ポリカーボネート、ポリエチレンテレプタレート（ＰＥＴ）、又はポリプロピレンを含むフィルムの形態である。基材は、１つ又は２つ以上の層を備えてもよい。一般に、接着部１５２の厚さは、約０．０１ｍｍ〜約５ｍｍの範囲であってもよい。いくつかの実施形態では、接着剤の厚さは、約０．０５ｍｍ〜約０．２ｍｍの範囲内であってよい。接着部１５２の表面積は、約２５ｃｍ２〜約１５０ｃｍ２とすることができる。接着部１５２は、透明又は半透明の基材（例えば、フィルムなど）上にコーティングされた透明又は半透明の接着剤を含み得る。使用前に接着部１５２を被覆する剥離性ライナを、接着部１５２に塗布することができる。ユーザは、例えば、インサート１５０をシェル１２２に挿入する直前に、接着部１５２を露出させるように剥離性ライナをはがすことができる。
【００２０】
インサート１５０は、接着部１５２を完全に取り囲むフレーム１６６を含むように示されているが、本開示は、これには限定されない。例えば、フレーム１６６は、接着部１５２の周りに部分的に延在してもよい。例示的な一構成では、フレーム１６６は、接着部１５２の第１の縦辺に沿って、接着部１５２の頂部を横切って、かつ接着部１５２の第２の縦辺の下方に向かって延在してもよい。このような構成において、接着部１５２の底縁部は、フレームなしである。他の構成では、インサート１５０は、フレームレスであってもよく、接着部１５２は、基材の少なくとも中央部に適用され、基材は、十分な構造的剛性を提供する。更に、接着部１５２は、図示するように、平面状にすることができるか、又は例えば湾曲などの、他の好適な構成を有することができる。図４及び図６に示すように、フレーム１６６の外周は、シェル１２２と同様に成形されてもよい。フレームは、第１の側縁部１５４及び第２の側縁部１５６を有し、これらは、シェル１２２の底部開口部１３４の両側のテーパ部内に受容されるようにサイズ決定される。インサートは、約７５ｍｍ〜約１２５ｍｍの高さ、及び約５０ｍｍ〜約１００ｍｍの幅を有し得る。底部開口部１３４の対向する側辺のテーパ特徴は、ユーザがインサート１５０をシェル１２２内へと摺動させる際にインサート１５０の位置合わせを補助し得る。フレーム１６６はまた、高さを有する頂部１５８と、第１の側縁部１５４及び第２の側縁部１５６で終端する頂部縁部１６０と、を有する。いくつかの構成において、頂部縁部１６０の高さは、約３０、４０、５０ｍｍ〜約７５、１００、１２５ｍｍである。頂部縁部１６０は、図６に示す円弧などの、任意の好適な形状を有することができる。
【００２１】
いくつかの構成において、インサート１５０は、誘虫組成物を収容するためのリザーバ１７６を有する。誘虫組成物は、気体、液体、及び固体を含む幅広い形態で提供することができる。いくつかの実施形態では、誘虫組成物は、虫に対して誘引性である１つ又は２つ以上の薬剤を含む固体組成物の形態で提供され得る。固体組成物はまた、１つ又は２つ以上の液体及び１つ又は２つ以上のゲル化剤を含む、ゲルのような半固体組成物を含む。ゲル化剤は、組成物中の架橋ネットワークの形成を容易にし得る。リザーバ１７６はまた、元々接着部１５２によって固定化されたが、乾燥して脆くなった後、もはや接着部１５２によって十分に保持されない虫などの、落下した虫を受け止める働きをしてもよい。リザーバ１７６は、前壁１８０及び後壁１８２によって画定され、前壁１８０は、リザーバ１７６の開口部の少なくとも一部を画定する。前面１８０は、フレーム１６６と一体的に形成されてもよい。いくつかの構成において、リザーバ１７６は、リザーバ１７６が誘虫組成物で充填された後にリザーバ１７６を被覆するように剥離性ライナ１８６を取り付けることを補助するように、リザーバ開口部の一部分に沿って延在するレッジ１８４を備え得る。リザーバ用の剥離性ライナ１８６は、接着部１５２の剥離性ライナ１８６と一体的であってもよい。いずれの場合も、剥離性ライナ１８６は、ユーザがインサート１５０をシェル１２２内に挿入する前に、リザーバ１７６から取り外すことができる。レッジ１８４は、図５に示すように、前壁１８０に沿って延在してもよい。追加的に又は代替的に、レッジ１８４は、後壁１８２から延在してもよい。レッジ１８４は、壁１８０の頂面によって形成されてもよく（すなわち、壁１８０が十分な厚さを有する場合）、又はレッジ１８４は、外向きのレッジ、内向きのレッジ、若しくはそれらの組み合わせであってもよい。レッジ１８４は、例えば約１ｍｍ〜約４、６、８ｍｍの深さを有してもよい。リザーバ１７６は、約１ｍｍ及び約３０ｍｍの深さ、約１０ｍｍ〜約１００ｍｍの幅、及び約１ｍｍ〜約５０ｍｍの高さを有してもよい。リザーバ１７６は、約１ｃｍ３〜６０ｃｍ３の容積を有することができる。リザーバ１７６は、ひとたびインサート１５０がシェル１２２に係合してシェル１２２がベース１０２に係合すると誘虫組成物が開口部１３２を通って蒸発又は分散し得るように、位置決めすることができる。リザーバ１７６などの本開示に従ったリザーバは、その後壁１８２を含めて１つの部品として作製されてもよく、リザーバは、次いで、フレーム１６６に取り付けられる。代替的に、リザーバは、その後壁を含めて、射出成形法などによって、フレームと共に同じ材料で一体的に形成されてもよい。接着部１５２は、リザーバ開口部に隣接して終端してもよく、又はリザーバ開口部を越えて下方に、かつリザーバの後壁１８２を横切って延在してもよい。これにより、いくつかの構成において、製造中に加熱された誘引物で充填されていないリザーバなどについては、後壁１８２（図５）は、接着部１５２によって形成される。リザーバ１７６内の誘虫組成物誘引物は、使用中に蒸発し得るため、リザーバ１７６は、両方の構成要素が同時に交換可能であり得るように、接着部１５２に連結されることが有利である。更に、接着部１５２に対するリザーバ１７６の配置のため、リザーバ１７６は、接着部１５２の表面積を塞がないようにベース内に受容することができる。この配置はまた、虫を捕獲するための接着部１５２の表面積を最大化する。
【００２２】
他の構成では、インサート１５０は、リザーバ１７６を含まなくてもよい。更に他の構成では、インサート１５０は、リザーバ１７６を含まず、接着部１５２は、インサート１５０の前面及び後面の両方に位置する。このような構成において、ひとたび前面が十分な数の虫を固定化すると、ユーザは、インサート１５０をシェル１２２から取り外し、インサート１５０を回転させ、インサート１５０をシェル１２２内へと再挿入し得る。この位置において、インサート１５０の後面は、開口部１３２に近接して位置し、シェルに進入する虫を固定化するために使用することができる。
【００２３】
フレーム１６６及びシェル１２２は、インサート１５０をシェル１２２に選択的に係合することができるように構成されてもよい。例示する構成において、フレーム１６６の第１の側縁部１５４及び第２の側縁部１５６の各々は、頂部縁部１６０の終端と、底縁部１６１などのフレーム１６６の底部との間に位置する圧痕１６２を有する。圧痕１６２の各々の頂縁部１５９は、例えば、底縁部１６１から頂部縁部１６０に向かって縦に測定されるとき、インサート１５０の底部から約１０、１５、２０ｍｍ〜約４０、５０、６０、７０、８０、９０ｍｍ上方に配置されてもよい。図４に示すように、シェル１２２は、内面１３８から延在する突起１４０を有してもよい。フレーム１６６の圧痕１６２は、圧痕１６２がシェル１２２の突起１４０と係合し、それを捕捉するようにサイズ決定及び位置決めされてもよい。このように、インサート１５０がシェル１５０内に完全に着座している（すなわち、インサート１５０がシェル１２２の頂部１２１を介して更なる挿入を止められている）ときに突起１４０の圧痕１６２内への係合が発生するように、突起１４０は、シェル１２２内に位置してもよい。
【００２４】
第１の側縁部１５４及び第２の側縁部１５６の各々の圧痕１６２は、約０．５ｍｍ〜約１０ｍｍの長さ、及び約０．５ｍｍ〜約３．５ｍｍの深さを有することができる。シェル１２２の内面１３８上の突起１４０は、約０．４ｍｍ〜約９．９ｍｍの長さ、及び約０．２ｍｍ〜約４ｍｍの幅を有することができる。このように、インサート１５０がユーザによって底部開口部１３４を通ってシェル１２２内に十分に挿入されると、シェル１２２の両側の突起１４０は、フレーム１６６のそれぞれの圧痕１６２と係合してインサート１５０をシェル１２２内に着座させることになる。いくつかの構成において、ユーザは係合が生じたことを感じ、それによってユーザに触覚フィードバックを提供する。インサート１５０とシェル１２２との選択的な機械的係合は、図４及び図６の圧痕１６２及び相応じる突起部１４０を使用して容易にされるが、種々の他の好適な構成を利用して、本開示の範囲から逸脱することなく、インサート１５０をシェル１２２内に着座させ得る。
【００２５】
図７は、ベース１０２の等角図を描写する。図１〜７を参照すると、ベース１０２は、発熱素子１１０を収納することができる上方に延在するハウジング１０８を有してもよい。カートリッジ１１８がベース１０２に係合するとき、上方に延在するハウジング１０８は、底部開口部１３４を通ってシェル１２２のキャビティ１３５内へと延在する。上方に延在するハウジング１０８は、カートリッジ１１８がベース１０２に係合するとき、上方に延在するハウジング１０８が後部ハウジング１２８とインサート１５０との間に位置するように、位置する。発熱素子１１０は、好適な電源（電池、壁ソケットなど）によって通電されると、上方に延在するハウジング１０８とインサート１５０の近接した接着部１５２とを加温及び加熱する。接着部１５２を加温することは、特定の種類の虫を捕虫器１００に誘引することを補助し得る。例えば、加熱された接着部１５２は、生物学的表面（すなわち皮膚）の熱的シグネチャを模倣することができる。発熱素子１１０は、例えば、正温度係数（ＰＴＣ）ヒータ、抵抗系ヒータ、又は電気エネルギーを熱エネルギーに変換する任意の他の種類の素子であってもよい。ベース１０２はまた、発光ダイオード（ＬＥＤ）１１６として例示される光源１１４を有してもよい。ＬＥＤ  １１６は、貫通孔技術などの任意の好適な取り付け技術を使用してもよい。いくつかの構成において、１つ又は２つ以上のＬＥＤ  １１６は、表面実装技術（ＳＭＴ）を利用し、その結果、ＬＥＤ  １１６は、表面実装デバイス（ＳＭＤ）である。ＬＥＤ  １１６は、ソリッドステート照明の形態である。ＬＥＤのいくつかの例としては、半導体発光ダイオード、ポリマー発光ダイオード、有機発光ダイオードなどが挙げられる。使用され得る他の光源としては、白熱灯若しくはフィラメントベースの発光体、蛍光灯、若しくはハロゲンライト、又はキセノン灯が挙げられるが、それらに限定されない。発光体は、その出力の波長を調節するためのフィルタを有してもよく、又は有しなくてもよい。光源１１４は、カートリッジ１１８がベース１０２に係合するとき光源１１４が上方に延在するハウジング１０８とインサート１５０との間に位置するように、位置する。このように、光源１１４が通電されると、光源１１４は、接着部１５２を照明する。
【００２６】
上方に延在するハウジング１０８は、カートリッジ１１８をベース１０２に係合させるときに、上方に延在するハウジング１０８の中央部とインサート１５０との間にキャビティを形成する働きをする、凹状の前面１０４を有することができる。上方に延在するハウジング１０８の前面１０４は滑らかな凹面として例示されているが、本開示は、これには限定されない。前面１０４は、凹形状を形成する表面の任意の好適な構成又は組み合わせを有することができ、前面１０４の中央部は、前面１０４の側部と比較すると陥凹しており、それによって内向きの膨らみを形成する。前面１０４の例示的な構成は、平面部分、面取り部分、湾曲部分、曲線部分などを含むことができる。図２に描写されるように、光源１１４は、上方に延在するハウジング１０８とインサート１５０との間に形成される空間内でベース１０２上に位置決めされてもよい。利用される光源１１４の波長及び種類は、特定の種類の光に引き付けられる虫を誘引するように選択することができる。更に、発熱素子１１０及び光源１１４を動作させるための回路機構を含む回路基板１０６（図８Ａ）を、ベース１０２内に位置決めすることができる。回路基板１０６は、回路基板１０６をリザーバ１７６の後方に位置決めすることができるように、ベース１０２内に縦に装着されてもよい。回路基板１０６がリザーバ１７６の後方に位置決めされていると、誘虫組成物が回路機構に接触する可能性が最小化される。図７に示すように、ベース１０２はまた、シェル１２２がベース１０２に連結されるとき、リザーバ１７６の少なくとも一部分を受容するようにサイズ決定されているキャビティ１２０を画定してもよい。
【００２７】
カートリッジ１１８をベース１０２に連結して使用のために捕虫器１００を準備するために、上方に延在するハウジング１０８が図８Ａに示すようにシェル１２２内に受容され、接着部１５２の後面と後部ハウジング１２８の内面との間に位置するように、カートリッジ１１８を上方に延在するハウジング１０８の上に下降させる。ベース１０２の一部分は、底部開口部１３４を通ってキャビティ１３５（図３Ｂ）内に受容されてもよい。ベース１０２は、カートリッジ１１８をベース１０２に機械的に係合するためにシェル１２２の底部と係合してもよい。このような係合は、ユーザがカートリッジ１１８及びベース１０２を分離することを希望するまで、シェル１２２とベース１０２との間の連結を維持するために、例えば、クリップ、ラッチ、磁石、又は回り止めを利用することなどの、摩擦嵌め接続又は他の好適な種類の接続を利用してもよい。ひとたびカートリッジ１１８がベース１０２に貼着されると、捕虫器１００は、虫を誘引及び固定化するように動作させることができる。しかしながら、いくつかの構成において、カートリッジ１１８は、ベース１０２に連結されることなく、虫を誘引及び固定化するために利用されてもよい。例えば、インサート１５０をシェル１２２内に挿入した後、カートリッジ１１８は、テーブル、床、又は他の好適な表面上に配置されてもよく、虫が接着部１５２によって捕捉されるように、リザーバ１７６内の誘虫組成物を利用して虫をシェル１２２内に引き込む。
【００２８】
いくつかの構成において、ベース１０２は、カートリッジ１１８がベース１０２に係合しシェル１２２に力が印加されるとき、シェル１２２の前面及び／又はシェル１２２の後面の１つ又は２つ以上の撓みを限定する少なくとも１つの直立タブを備える。図８Ａは、カートリッジ１１８がベース１０２に係合しシェル１２２に力が印加されるとき、シェル１２２の前部ハウジング１２４の撓みを限定するように位置決めされた例示的な直立タブ１７４（点線で示す）を描写する。このように、直立タブ１７４は、カートリッジ１１８をベース１０２に取り付ける又はベース１０２から取り外すときに、不用意にインサート１５０をシェル１２２から解放するリスクを緩和することができる。直立タブ１７４はまた、シェル１２２が適切に着座したとき触覚フィードバックをユーザに輪郭付けするように、シェル１２２の内面１３８の対応するドーム又は他の特徴に相応じるように構成されたディンプル又は他のタイプの回り止めを含んでもよい。このような機械的特徴はまた、ユーザ１２２がシェル１２２をベース１０２に係合させる際に、シェル１２２をその着座位置へと引き入れるのを助ける。
【００２９】
誘虫組成物が使い尽くされたとき、及び／又は接着部１５２が交換される必要があるときなどの後の時点において、カートリッジ１１８は、ユーザによってベース１０２から係脱されてもよい。カートリッジ１１８がベース１０２から持ち上げられるとき、インサート１５０は、圧痕１６２と突起部１４０との間の相互作用又は他の種類の機械的係合（例えば、摩擦嵌め）に起因して、シェル１２２内に着座した状態のままとなる。このように、ユーザは、カートリッジ１１８をベース１０２から取り外すためにフレーム１６６又は接着部１５２に直接物理的に接触することを必要としないことになる。カートリッジ１１８は、次いで、インサート１５０をシェル１２２から解放することに備えて、ごみ入れ１４８（図８Ｂ）の上方に位置決めされ得る。インサート１５０を解放するために、ユーザは、シェル１２２を人差し指と親指とで圧搾することなどにより、前部ハウジング１２４及び／又は後部ハウジング１２８に力を印加する。いくつかの構成において、前部ハウジング１２４及び／又は後部ハウジング１２８は、ユーザが前部ハウジング１２４及び／又は後部ハウジング１２８のどこに力を印加するべきか同定するのを支援するために、ディンプル、ドーム、リング、グラフィック、及び／又は他の物理的特徴を有してもよい。シェル１２２は底部開口部１３４（図３Ｂ）を有するため、インサート１５０は、シェル１２２又はインサート１５０を反転させることを必要とせずに、シェル１２２から取り出され得る。このように、リザーバ１７６内に残存する誘引物は、インサート１５０がシェル１２２から解放されるとき、インサート１５０がごみ入れ１４８内に落下するまでリザーバ内に残存する可能性が高い。
【００３０】
図８Ｂに示すように、ユーザは、例えば、シェル１２２の下部１３６に力を印加してもよい。下部１３６は、約１．５ｍｍ、２、４、６、８、１０ｍｍ〜約２８、３０  ３２、３４、３６、４０、４５ｍｍの高さを有してもよい。下部１３６は、底部開口部１３４に隣接して位置決めされてもよく、これは、ユーザがシェル１２２を圧搾するときに十分な量の屈曲を容易にする。更に、前部ハウジング１２４及び／又は後部ハウジング１２８の壁厚は、所望の量の柔軟性を提供するために十分であってもよい。いくつかの構成において、前部ハウジング１２４及び／又は後部ハウジング１２８の肉厚は、約０．２５ｍｍ〜約５ｍｍである。シェル１２２がユーザによって圧搾されるとき、シェル１２２は、前部ハウジング１２４及び後部ハウジング１２８の中央部が内方に撓んで互いにより接近するように、屈曲することになる。力は、ユーザが自分の指で印加する。いくつかの構成において、シェル１２２に印加される力は、約１、２、３、４、５、６Ｎ〜約２０、２４、２６、２８、３０、３２、３４、３６、５０Ｎであってよい。いくつかの構成において、１０Ｎ〜３５Ｎなどのより軽量な手の力を印加することが望ましいことがある。力が印加される位置における前部ハウジング１２４及び／又は後部ハウジング１２８の撓みは、約１ｍｍ〜約３０ｍｍであってもよい。前部ハウジング１２４及び後部ハウジング１２８の中央部が内方に撓むにつれて、前部ハウジング１２４及び後部ハウジング１２８の側部は、外方に撓むことになる。いくつかの構成において、力の印加は、シェル１２２の底部から約０．２ｍｍ〜約３０ｍｍの点において約０．２ｍｍ〜約４、６、８、１０ｍｍのシェルの外方への全撓みを引き起こす。側部が外方に撓むにつれて、シェル１２２の内面１３８の突起部１４０は、フレーム１６６の圧痕１６２から横方向に引き出されてインサート１５０をシェル１２２から係脱する。ひとたびインサート１５０がシェル１２２から係脱されると、インサート１５０は、重力によって底部開口部１３４を通って下方に落下し、ごみ入れ１４８内に入る。このように、ユーザは、インサート１５０をシェル１２２から解放するためにフレーム１６６に物理的に接触する必要がなく、それによって、接着部１５２上で固定化された虫１９０又は接着部１５２自体との偶発的な接触を最小化又は排除する。追加的に又は代替的に、ユーザは、上記のように前部ハウジング１２４及び後部ハウジング１２２を同時に圧搾しながら、インサート１５０の一部分を掴んでインサート１５０をシェル１２２から引き抜くことを希望し得る。ひとたびインサート１５０がシェル１２２から取り出されると、ユーザは、シェル１２２を解放することができ、その結果、前部ハウジング１２４及び後部ハウジング１２８の前方部並びに突起部１４０は、未使用のインサート１５０の挿入及び保持に適応するようにそれらの元の位置に復帰する。
【００３１】
図９〜１０は、別の実施形態による捕虫器２００を例示する。捕虫器２００は、捕虫器１００と同様又は多くの点で同じとすることができる。例えば、捕虫器２００は、シェル２２２を有するカートリッジ２１８と、ベース２０２と係合することができるインサート２５０とを含むことができる。図示するように、ベース２０２は、シェル２２２内に受容される上方に延在するハウジング２０８を有する。インサート２５０は、接着部２５２及びリザーバ２７６を有する。インサート２５０は、接着部２５２及び／又はリザーバ２７６を被覆及び保護する１つ又は２つ以上の剥離性ライナを有することができる。このような剥離性ライナは、インサート２５０をシェル２２２内に挿入する前に、ユーザによって取り外すことができる。シェル２２２は、図４のシェル１２２と同様に構成することができ、シェル２２２の一部分に力が印加されると、インサート２５０が解放され、底部開口部２３４を通ってカートリッジ２１８から取り出すことができる。しかしながら、カートリッジ２１８は、下方に垂下するタブ２６４を更に備える。下方に垂下するタブ２６４は、図示するように、シェル２２２又はインサート２５０上に位置決めすることができる。カートリッジ２１８がベース２０２と係合すると下方に垂下するタブ２６４を受容するスイッチ（図示せず）が、位置決めされているベース２０２。ベース２０２内のスイッチは、誘虫物（すなわち、加熱素子、光源など）の１つ又は２つ以上を動作させるように機能することができ、その結果、カートリッジ２１８がベース２０２に係合しているときにのみ、このような誘虫物に通電することができる。このように、カートリッジ２１８がベース２０２から取り外されるとき、スイッチは、非活性化され、電力は、誘虫物から取り外される。
【００３２】
下方に垂下するタブ２６４は、下方に垂下するタブ２６４の縦中心線がインサート２５０の縦中心線からオフセットされるように位置決めすることができる。下方に垂下するタブ２６２をオフセットすることは、カートリッジ２１８をベース２０２と適切に位置合わせすることを補助する働きをし得る。より具体的には、カートリッジ２１８は、下方に垂下するタブ２６４がスイッチ内に受容されるように、カートリッジ２１８が適切な方向を向いているときにのみベース２０２内に完全に着座し得る。更に、接着部２５２が上方に延在するハウジング２０８と対向してではなくシェル２２２の前面の開口部に隣接して位置決めされるように、下方に垂下するタブ２６４は、インサート２５０がシェル２２２内に適切に配置されることを保証するのを助けることができる。下方に垂下するタブ２６４はまた、インサート２５０の挿入又は取り外し中にユーザのための便利な把持点として機能することができる。下方に垂下するタブ２６４は、任意の好適な構成又は形状を有することができる。いくつかの構成において、下方に垂下するタブ２６４は、その縦中間点において、インサート２５０の底縁部の幅７５％未満である幅を有する。いくつかの構成において、下方に垂下するタブ２６４は、その縦中間点において、インサート２５０の底縁部の幅５０％未満である幅を有する。いくつかの構成において、下方に垂下するタブ２６４は、その縦中間点において、インサート２５０の底縁部の幅２５％未満である幅を有する。いくつかの構成において、下方に垂下するタブ２６４は、その縦中間点において、インサート２５０の底縁部の幅１０％未満である幅を有する。いくつかの構成において、下方に垂下するタブ２６４は、インサート２５０の縦中心線に関して非対称でありながら、インサート２５０の縦中心線と重なっている。インサート１５０などの本明細書に記載されている他のインサートも下方に垂下するタブ２６４と同様の下方に垂下するタブを利用することができることも、理解されるべきである。
【００３３】
図９〜１０のシェル２２２はまた、シェル２２２の頂部に近接して位置決めされた押下可能なタブ２４４を有する。図１１は、シェル２２２の断面図を示し、図１２は、シェル２２２の頂部の拡大図を示す。押下可能なタブ２４４は、ユーザによって押圧されると押下可能なタブ２４４が回動することを可能にするヒンジ接続を形成するシェル２２２内の溝２９８を形成することを通じて、頂面２４２に形成される。フランジ２９４は、押下可能なタブ２４４に連結され、シェル２２２の内部に位置する。図１２に示すように、押下可能なタブ２４４がユーザによって押圧されると、フランジ２９４は、矢印２９２によって示される方向に回動する。インサート２５０は、インサート２５０がシェル２２２内に挿入されたときフランジ２９４に引っ掛かる、インサート２５０の頂部に近接して位置する肩部２９６を含む。このように、肩部２９６が図１２に例示する位置にあるとき、肩部２９６とフランジ２９４との機械的係合のため、インサート２５０は、シェル２２２内に保持される。図１２に示すように、フランジ２９４は、肩部２９６がフランジ２９４を通過するまで、肩部２９６がフランジ２９４を矢印２９２によって示される方向に一時的に回動させることを補助するように楔形状にすることができる。ひとたび肩部２９６がフランジ２９６を通過すると、フランジ２９６は、その初期位置に戻って、押下可能なタブ２４４がその後ユーザによって押圧されるまでインサート２５０を保持する。
【００３４】
ユーザがインサート２５０をシェル２２２から取り出すことを希望するとき、ユーザは、フランジ２９４を肩部２９６から離れて回動させるように、押下可能なタブ２４４を押圧する。ひとたびフランジ２９４が肩部２９６を越えて回動すると、フランジ２９４は、肩部２９６を係脱し、重力又は他の外部から提供する力は、図８Ｂと同様に、ユーザが接着部２５２又はインサート２５０の他の部分に直接触れることを要求することなく、インサート２５０をシェル２２２から引き抜き得る。ひとたび使用済みのインサート２５０が解放されると、未使用のインサート２５０をシェル２２２内に挿入することができる。未使用のインサート２５０の頂部は、挿入時にフランジ２９４に係合する肩部２９６を有することができる。
【００３５】
これより、本明細書に記載の捕虫器と共に使用するためのインサートを形成するための技術に目を転じると、種々の製造技術及び／又は組み立て技術を使用することができる。このような技術は、他の要因のなかでも例えば、インサートがフレーム付きかそれともフレームレスか、リザーバを有するか、及び／又は剥離性ライナを含むか、に応じて様々であり得る。次に図１３〜１８を参照すると、例示的なインサートは、接着部をフレーム又は他の種類の基材に取り付けるための例示的な技術を例示するように描写されている。図１３は、フレーム３６６と接着部３５２の分解側面図を描写する。この構成において、接着剤が、接着部３５２及び／又はフレーム３６６の外周並びにフレーム３６６の前部に貼着された接着部３５２に塗布される。
【００３６】
図１４は、フレーム４６６と接着部４５２の分解側面図を描写する。フレーム４６６は、リザーバ４７６を有してもよく、リザーバ４７６は、例えばリザーバ１７６（図６）に類似していてもよい。この構成において、接着部４５２の外周の接着剤を利用して接着部４５２がフレーム４６６に貼着される。フレーム４６６は覆いのない内部部分を少なくとも部分的に形成又は画定するため、接着部４５２の中央部の接着剤は、フレーム４６６への取り付け後に露出したままである。これにより、接着部４５２の接着剤の第１の部分を使用して接着部４５２をフレームに取り付け（すなわち、接着部４５２のフレーム４６６と重なる部分）、接着部４５２の接着剤の第２部分を使用して虫を固定化する（すなわち、接着部４５２のフレーム４６６の中央開口部内に位置する部分）。
【００３７】
図１５Ａ〜１５Ｂは、フレーム５６６及び接着部５５２の分解側面図と、フレーム５６６に貼着された接着部５５２の図とをそれぞれ描写する。フレーム５６６は、その面から外方に延在する複数の突起部５７２を有する。突起部５７２は、突起部５７２が接着部５５２を捕捉するように、接着部５５２内の複数の対応する穴又は切欠部内に受容される（図１５Ｂに示すように）。いくつかの構成において、突起部５７２に加えて接着剤も、接着部５５２をフレーム５６６に貼着するために使用することができる。
【００３８】
図１６Ａ〜１６Ｂは、フレーム７６６及び接着部７５２の分解側面図と、フレーム７６６に貼着された接着部７５２の図とをそれぞれ描写する。図１４と同様に、リザーバ７７６は、フレーム７６６の前部に位置する。フレーム７６６を捕捉するように構成された複数の突起部７７２が、フレーム７６６の後側から延在する（図１６Ｂに示すように）。図１６Ａ〜１６Ｂは後側リザーバ７７６に近接するフレーム７６６に沿って延在する接着部７５２を描写するが、他の構成では、接着部７５２は、フレーム７６６の中央開口部に近接して位置するだけで、リザーバ７７６の後壁を越えて延在しなくてもよい。
【００３９】
図１７は、フレームが前方部８６８及び後方部８７０を備える構成を描写する。接着部８５２は、互いに接合されると接着部８５２の外周の少なくとも一部分が前方部８６８と後方部８７０との間に捕捉されるように、前方部８６８と後方部８７０との間に位置する。接着剤は、各層の間で使用することができる。
【００４０】
図１８は、フレームレス構成を有するインサート９５０の分解図を描写する。図示するように、接着部９５２は、実質的に中実なベース部材９６８に貼着されている。ベース部材９６８は、例えば、半硬質カードストック、又は他の好適な材料とすることができる。ベース部材９６８は、ユーザのための便利な把持点を提供するように機能することができると共に、上記のように捕虫器内のスイッチを作動させるために使用することができる、下方に垂下するタブ９６４を含むことができる。図１８は、下方に垂下するタブ９６４の縦中心線がベース部材９６８の縦中心線と概して位置合わせされていることを例示しているが、他の構成では、下方に垂下するタブ９６４の縦中心線は、ベース部材９６８の縦中心線からオフセットされている。更に、図１８は接着部９５２がベース部材９６８の第１の側に位置することを描写しているが、本開示はこれには限定されない。いくつかの構成において、例えば、第２の接着部が、ベース部材９６８の側部に貼着されている。このような構成（両面インサートと称する場合がある）は、インサート９５０がシェルから取り外され、ユーザによって裏返され、次いで将来の使用のためにシェル内に再挿入されることを可能にし得る。また、図１８には、使用前に接着部９５２を被覆及び保護するためにベース部材９６８に貼着することができる剥離性ライナ９８６が、示されている。本明細書に記載されている他のインサートと同様に、剥離性ライナ９８６は、剥離性ライナ９８６が接着部９５２を被覆している状態でインサート９５０が包装及び出荷されるように、製造中にインサート９５０（及び／又はインサートのリザーバ）に追加することができる。インサート９５０を捕虫器のシェル内に挿入する直前に、ユーザは、剥離性ライナ９５０を取り外して廃棄して接着部９５２を露出させ、インサート９５０を使用のために準備することができる。例示する構成において、剥離性ライナ９８６は、ユーザのための把持点を提供するためにベース部材９６８から切り離されたタブ９６５を含む。
【００４１】
次に図１９Ａ〜１９Ｂ及び２０Ａ〜２０Ｂを参照すると、光源を含む例示的なインサートが描写されている。このようなインサートは、光源を有さないベースと共に使用されてもよい。図１９Ａ〜１９Ｂは、リザーバを含まないインサート１０５０の等角図を描写する。インサート１０５０は、本明細書に記載されている他のインサートと同様に、フレーム１０６６によって取り囲まれた接着部１０５２を有する。例示しないが、インサート１０５０はまた、対応するシェルとの機械的係合を提供するための圧痕又は他の好適な特徴を含むことができる。インサート１０５０はまた、光源１０１４を有し、光源１０１４が一組のＬＥＤ  １０１６を含むことが示される。ＬＥＤ  １０１６は、接着部１０５２の後面がＬＥＤ  １０１６の作動時に照明されるように、接着部１０５２の後方に位置する。インサート１０５０はまた、インサート１０５０の下部から延在する下方に垂下するタブ１０６４を有する。下方に垂下するタブ１０６４の縦中心線は、インサート１０５０の縦中心線からオフセットされており、対応するベースのスイッチ内に受容されるように位置決めされている。下方に垂下するタブ１０６４はまた、捕虫器のベース内の対応する接点と電気的に接触するように位置決めされた電気接点１０１７を有する。ひとたび電気的に接触すると、光源１０１４及び／又はインサート１０５０に搭載された他の誘引物を照明するように、電力を、電気接点１０１７及び回路機構１０１９を通して提供することができる。
【００４２】
図２０Ａ〜２０Ｂは、インサート１１５０がリザーバ１１７６を含むことを除きインサート１０５０と同様の、インサート１１５０の等角図を描写する。インサート１０５０と同様に、インサート１１５０は、フレーム１１６６によって取り囲まれた接着部１１５２を有する。インサート１１５０はまた、光源１１１４を有し、光源１１１４は、一組のＬＥＤ  １１１６として示されている。ＬＥＤ  １１１６は、ひとたびインサート１１５０がシェル内へと摺動されるとＬＥＤ  １１１６が接着部１１５２の後方に位置するように、インサート１１５０のリザーバ１１７６とは反対側に位置する。インサート１１５０はまた、上記の図１９Ａ〜１９Ｂにおける配置と同様に、電気接点１１１７として、インサート１１５０の下部から延在する下方に垂下するタブ１１６４を有する。ひとたびベースと電気的に接触すると、光源１１１４及び／又はインサート１１５０に搭載された他の誘引物を照明するように、電力を、電気契約１１１７及び回路機構１１１９を通して提供することができる。
【００４３】
次に図２１〜２３を参照すると、シェル１２２２及びインサート１２５０の簡略化された描写が、例示されている。図２１〜２３は、一般に、外面の１つ又は２つ以上に力が印加されたときのシェルの様々な部分の撓みを描写する。図２２は、図２１の線２２〜２２に沿った断面図であり、図２３は、内向きの力Ｆ１及びＦ２が印加されている間のシェル１２２２を描写する。シェル１２２２内に挿入されると、インサート１２５０は、インサート１２５０がシェル１２２２内に保持されるように、シェル１２２２の内面１２３８の一部分と機械的に係合する（すなわち、連動式特徴、摩擦嵌め、又は他の方法を介して）。図２２に示すように、休止位置では、シェル１２２２は、内部幅（Ｗ１）及び内部深さ（Ｄ１）を有する。図２３に示すように、圧搾位置では（すなわち、ユーザによる力の印加中）、シェル１２２２は、内部幅（Ｗ２）及び内部深さ（Ｄ２）を有する。例示するように、内部幅Ｗ２は、内部幅Ｗ１より大きく、深さＤ２は、内部深さＤ１より小さい。ユーザは、インサート１２５０を取り出すために、シェル１２２２の前面１２２６の前方ゾーン１２３７に力を印加することができる。前方ゾーン１２３７は、シェル１２２２の下部内に位置し、グラフィック及び／又はテキストによって外面１２３０と識別され得る。前方ゾーン１２３７は、シェル１２２２の底部１２３５の上方の高さ（Ｈ）に位置する。いくつかの構成において、ユーザは、親指及び人差し指を使用して前方ゾーン１２３７及び後方ゾーン１２３９を圧搾することなどによって、シェル１２２２の後方ゾーン１２３９（図２３）に同時に力を印加し得る。
【００４４】
シェル１２２２に力が印加されないとき、シェル１２２２の内部幅（Ｗ１）は、シェルの底部から約１ｍｍ〜約１００ｍｍの点において約５０ｍｍ〜約１５０ｍｍであり得る（図１９で（Ｈ）として示されている）。シェルに力が印加されないとき、シェルの内部深さ（Ｄ１）は、シェルの底部から約１ｍｍ〜約１００ｍｍの点において約２０ｍｍ〜約１００ｍｍであり得る（図２２）。
【００４５】
力が印加されるとき、シェルの内部幅（Ｗ２）は、シェルの底部から約１ｍｍ〜約１００ｍｍの点において約５１ｍｍ〜約１６５ｍｍであり得る（図１９で（Ｈ）として示されている）。シェルに力が印加されないとき、シェルの内部深さ（Ｄ２）は、シェルの底部から約１ｍｍ〜約１００ｍｍの点において約１０ｍｍ〜約９９ｍｍであり得る（図２３）。
【００４６】
いくつかの構成において、インサート１２５０及びシェル１２２２は、シェル１２２２に力が印加されないとき、約０．２ｍｍ〜約４ｍｍの締り嵌めを有する。このように、ユーザは、インサート１２５０の挿入中に十分な間隙を提供するために、前方ゾーン１２３７及び後方ゾーン１２３９に力を印加し得る。内部幅をＷ１からＷ２に増大させることは、インサート１２５０を内面１２３８から係脱する働きをし、それによって、ユーザがインサート１２５０を廃棄することができるように、重力がインサート１２５０をシェル１２２２から引き抜くことを可能にする。インサートを解放するためにシェルの１つ又は２つ以上の表面に印加される力の量は様々であり得るが、（図２３において力Ｆ１及びＦ２として示されている）、いくつかの構成において、力は、約１Ｎ〜約３６Ｎである。インサート１２５０を解放するために必要とされる力の量は、機械的係合の種類次第であり得る。例えば、摩擦嵌め連結を利用する捕虫器は、インサートを解放するために、突起部／凹み連結を利用する捕虫器より多い又は少ない力を要求し得る。
【００４７】
未使用のインサート１２５０をシェル１２２２内に挿入するとき、インサート１２５０を適切に着座させるために一定量の力が必要であり得る。この挿入力は、１０％〜５０／７０％インサート長さについては約０Ｎ、インサート１２５０をシェル１２２２内に最終的に着座させるためには１．２５Ｎ〜４４Ｎとすることができる。代替的に、挿入力は、挿入中の任意の点で１．２５Ｎ〜４４Ｎとすることができる。摩擦嵌め連結のために、ユーザは、内部幅をＷ１からＷ２に拡大し、こうして挿入を容易にするために、ゾーン１２３７及び１２３９においてシェル１２２２を圧搾してもよい。
【００４８】
上記のカートリッジはインサートを係脱するために前面及び／又は後面に内向きの力を印加することを描写しているが（すなわち、図２１の前方ゾーン１２３７に近接して）、他の例示的なカートリッジ構成では、前面／後面ではなくシェルの側面に内向きの力を印加することが、インサートを解放する。本明細書で使用するとき、シェルの側面は、シェルの外面の、前部ハウジングの前面が後部ハウジングの後面と交わる部分を指す。このような内向きの力は、カートリッジがベースから取り外された後、カートリッジの側面がユーザの親指と１つ又は２つ以上の指との間に把持されるとき、ユーザの手によって印加することができる。側面が圧搾力によって内方に撓むにつれて、前部ハウジング及び／又は後部ハウジングの他の部分は、外方に撓み得る。このような外方への撓みは、シェル内に位置するインサートが解放及び除去されることを可能にし得る。図２４は、シェルの側面に内向きの力を印加したときにインサートを解放するように構成されたシェルと共に使用され得る、例示的なインサート１３５０の等角図を描写する。インサート１３５０は、インサート１３５０がフレーム１３６６によって取り囲まれた接着部１３５２を有するように、本明細書に記載の他のインサートと同様であってもよい。しかしながら、他の構成では、インサート１３５０は、フレームレスであってもよい。インサート１３５０はまた、インサート１３５０の下部から延在する下方に垂下するタブ１３６４を有することができる。例示する構成において、インサート１３５０の前面から外方に突出するレッジ１３４０が、接着部１３５２の下に位置する。レッジ１３４０は、フレーム１３６６と一体的に形成することができるか、又は他の方法でフレーム１３６６に取り付けることができる。より詳細に後述するように、レッジ１３４０は、シェルの内面に係合するように構成された係合面１３４１をその遠位端に有することができる。図２４はレッジ１３４０及び係合面１３４１の１つの例示的な構造的配置を描写しているが、これらの特徴の他の配置は、本開示の範囲から逸脱することなく使用することができる。
【００４９】
次に図２５〜２７を参照すると、シェル１４２２及びインサート１４５０の簡略化された描写が、例示されている。図２５〜２７は、一般に、力が側面の１つ又は２つ以上に印加されるときのシェル１４２２の様々な部分の撓みを描写する。図２６は、図２５の線２６〜２６に沿った断面図であり、図２７は、内向きの力Ｆ１及びＦ２が印加されている間のシェル１４２２を描写する。インサート１４５０は係合面１４４１を有する前面側から突出するレッジ１４４０を有するため、インサート１４５０は、インサート１３５０と同様である（図２７）。シェル１４２２内に完全に挿入されると、インサート１４５０は、インサート１４５０がシェル１４２２内に保持されるように、シェルの内面１４３８と機械的に係合する。インサート１４５０は、シェル１４２２との三点接続を利用することができる。図示するように、インサート１４５０の側部は、シェル１４２２の内面１４３８から内方に延在するサイドレール１４４３と係合し得る。サイドレール１４４３は、シェル１４２２の内面からインサート１４５０と略平行に延在し得る。図２６に示すように、インサート１４５０は、インサート１４５０の両側でシェル１４２２の内面１４３８とインサート１４５０の側縁部との間に隙間を形成するように、サイドレール１４４３に必ずしも完全に重なっていない。インサート１４５０は、レッジ１４４０の係合面１４４１とシェル１４２２の内面１４３８との相互作用に起因して、サイドレール１４４３に対して付勢することができる（図２６）。
【００５０】
図２６に示すように、休止位置では、シェル１４２２は、内部幅（Ｗ１）及び内部深さ（Ｄ１）を有する。インサート１４５０は、幅（Ｗ２）を有し、幅（Ｗ２）は、対向するサイドレール１４４３間の隙間よりも僅かに広い。図２７に示すように、圧搾位置では（すなわち、ユーザがシェル１４２２の側部に力Ｆ１及びＦ２を印加する間）、シェル１４２２は、内部幅（Ｗ３）及び内部深さ（Ｄ２）を有する。例示するように、内部幅（Ｗ３）は、２つの側部が一緒に圧搾されるため、内部幅（Ｗ１）よりも小さい。しかしながら、インサート１４５０をシェル１４２２から取り外すことを妨げ得る内方への力をシェル１４２２の側部がインサート１４５０に対して及ぼすことを防止するために、内部幅（Ｗ３）は、依然として挿入幅（Ｗ２）よりも少なくとも僅かに広いことがある。力Ｆ１及びＦ１の印加中、内部深さ（Ｄ２）は、内部深さ（Ｄ１）よりも大きい。内部深さがＤ１からＤ２に増大するにつれて、レッジ１４４０の係合面１４４１は、内面１４３８から分離し（図２７に示すように）、それによってインサート１４５０をサイドレール１４４３に対して保持していた付勢力が除去される。次いで、インサート１４５０は、重力又はユーザのいずれかによってシェル１４２２から引き出すことができる。
【００５１】
ユーザは、インサート１４５０を取り出すために、又はいくつかの場合にはインサート１４５０をシェル１４２２内に挿入することを支援するために、力Ｆ１及びＦ２をそれぞれシェル１４２２の第１の側方ゾーン１４３７及び／又は第２の側方ゾーン１４３９に印加することができる。第１の側方ゾーン１４３７及び第２の側方ゾーン１４３９は、前面１４２６と後面１４３０とが接合する位置に近接している。いくつかの構成において、第１の側方ゾーン１４３７及び第２の側方ゾーン１４３９は、シェル１４２２の下部内に位置し、グラフィック及び／又はテキストによって外面１４３０と識別され得る。例示する構成において、第１の側方ゾーン１４３７及び第２の側方ゾーン１４３９は、シェル１４２２の底部１４３５の上方の高さ（Ｈ）に位置する。いくつかの構成において、ユーザは、第１の側方ゾーン１４３７及び第２の側方ゾーン１４３９を圧搾することなどによって、シェル１４２２の第１の側方ゾーン１４３７及び第２の側方ゾーン１４３９に同時に力を印加し得る。
【００５２】
次に図２８〜３０を参照すると、別の例示的なシェル１５２２及びインサート１５５０の簡略化された描写が、例示されている。図２９は、図２８の線２９〜２９に沿った断面図であり、図３０は、内向きの力Ｆ１及びＦ２が側面に印加されるときのシェル１５２２を描写する。インサート１５５０は係合面１５４１を有する前面側から突出するレッジ１５４０を有するため、インサート１５５０は、インサート１４５０と同様である（図２７）。この構成において、シェル１５２２はまた、シェル１５２２の内面１５３８から延在するサイドレール１５４３を有する。しかしながら、シェル１５２２のサイドレール１５４３は、インサート１５５０に対して略垂直に延在している。レッジ１５４０の係合面１５４１はシェル１５２２の内面１５３８と相互作用するため、インサート１５５０は、サイドレール１５４３に対して付勢することができる（図２９）。インサート１５５０は、対向するサイドレール１４４３間の隙間より僅かに広い幅（Ｗ２）を有する。図３０に示す印加力Ｆ１及びＦ２が内部深さをＤ１からＤ２に増加させ、内部幅をＷ１からＷ３に減少させ、それによって係合面１５４１を内面１５３８から係脱し、サイドレール１５４３に対する付勢力を除去するため、インサート１５５０は、図２７に示すのと同様にシェル１５２２から取り出すことができる。
【００５３】
次に図３１を参照すると、リザーバ１６７６を含む例示的なインサート１６５０が、例示されている。インサート１６５０は、例えばシェル１４２２、１５２２内で使用可能にすることができ、フレーム１６６６と下方に垂下するタブ１６６４とによって取り囲まれた接着部１６５２を含む。レッジ１６４０は、リザーバ１６７６の前壁１６８０から延在している。レッジ１６４０の遠位端の係合面１６４１は、上記の係合面１４４１及び１５５１と同様に、シェルの内面に係合するように位置する。理解されるべきであるように、光源を有するインサートの他の構成はまた、これらのインサートがシェル１４２２及び１５２２と同様のシェルと共に使用されることを可能にするために、係合面を有するレッジを含むことができる。次に図３２〜図３６を参照すると、別の例示的な捕虫器１７００が描写されている。例示する捕虫器１７００は、電源を必要とする誘引物を利用しない。このようにして、捕虫器１７００は、床、カウンタ、又は棚などの表面上に配置することができ、地這虫を捕捉することができる。捕虫器１７００は、飛翔虫又は地這虫を受容するための開口部１７３４を画定する筐体１７０５を集合的に形成する前部ハウジング１７２４及び後部ハウジング１７２８を有する。図２６に例示する捕虫器１７００の分解図に示すように、前部ハウジング１７２４は、ヒンジ１７４３によって後部ハウジング１７２８に接続されている。筐体１７０５は、閉位置（図３２）と開位置（図３３）との間を選択的に移動可能である。開位置において、前部ハウジング１７２４の少なくとも一部分は、後部ハウジング１７２８から分離され、インサート１７５０の取り外しを容易にする。上記の構成と同様に、インサート１７５０は、虫を固定化する接着部１７５２を含むことができる。インサート１７５０は、エンクロージャ１７０５が閉位置にあるときに、捕虫器１７００の少なくとも一部分内に解放可能に保持することができる（図３２）。いくつかの構成において、インサート１７５０は、後部ハウジング１７２８の突出部１７４０と係合する穴１７６２を含む。他の種類の一時的な連結は、本開示の範囲から逸脱することなく使用することができる。
【００５４】
図３２に示すように、前部ハウジング１７２４は、開口部１７３４の反対側に位置する押下可能なタブ１７４４を含むことができる。押下可能なタブ１７４４は、後部ハウジング１７２８のレール１７４７に係合するように構成されたリップ１７４９を含む。閉位置にあるとき（図３２）、レール１７４７は、リップ１７４９と係合して前部ハウジング１７２４と後部ハウジング１７２８との相対的な位置決めを維持し、それによってインサート１７５０を保持する。ユーザが押下可能なタブ１７４４を圧搾すると、図３３に示すように、リップ１７４９は、レール１７４７から係脱し、それによって後部ハウジング１７２８は、ヒンジ１７４３を中心に回動し、前部ハウジング１７２４から矢印１７９２によって示される方向に離れて揺振する。後部ハウジング１７２８がヒンジ１７４３から垂下した状態で、重力によって使用済みのインサート１７５０を突出部１７４０から引き抜いて廃棄することができる。ユーザは、後部ハウジング１７２８上に未使用のインサートを配置し、リップ１７４９をレール１７４７と再係合させて筐体１７０５を閉位置に戻し、使用するために装置を準備することができる。
【００５５】
いくつかの構成において、捕虫器１７００と共に使用可能なインサートは、様々な種類の誘引物を含むことができる。図３５〜３６は、捕虫器１７００と共に各々使用可能なゲル状の誘虫物を収容するためのリザーバを含むインサートを例示している。まず図３５を参照すると、フレーム１８６６と接着部１８５２とを有するインサート１８５０が例示されている。リザーバ１８７６は、フレーム１８６６の一部分によって画定される。リザーバ１８７６は、使用中に虫が捕虫器１７００の開口部１７３４内に引き込まれ得るように、誘虫組成物を収容することができる。図３６は、フレーム１９６６及び接着部１９５２も有するインサート１９５０を描写する。リザーバ１９７６は、フレーム１９６６の一部分により画定される。この構成において、フレーム１９６６は、リザーバ１９７６に近接する複数の穴を画定する。このような穴は、例えば、誘虫組成物の蒸発速度を低下させるか、又は他の方法で誘虫組成物をリザーバ１９７６内に維持することを補助することができる。リザーバ１８７６及び１９７６は各々、使用中に捕虫器１７００の開口部１７３４内に虫が引き込まれ得るように、誘虫組成物を収容することができる。インサート１８５０及び１９５０の両方はまた、ユーザがそれぞれのインサートのフレーム又は接着部に直接物理的に接触することを必要とすることなく、捕虫器１７００から排出することができる。
【００５６】
本開示に記載の様々な捕虫器は、動作のために電気を利用する。上記で提供したように、例示的な捕虫器は、発熱素子、光源、及び／又は他の形態の通電可能な誘引物などの様々な搭載された誘引物に通電することができるように、壁コンセント内に挿入することができる。このような捕虫器はまた、虫を捕虫器に誘引する働きをする様々な液体、ゲル、又は他の組成物を含み得る。インサートを交換するためなど、ユーザは装置と定期的に相互作用することになるので、安全で操作が容易な防虫装置を提供することが最重要である。例えば、様々な搭載される電気的構成部品を考慮すると、このような電気的構成部品は、使用済みのインサートを未使用のインサートに交換することができるようにユーザがカートリッジを取り外すときなど、ユーザが装置と相互作用しているとき通電解除されることが望ましい。このような電気的構成部品はまた、インサートと共に装填されるカートリッジがベースに適切に装着されたときにのみ通電されることが好ましい。例えば、インサートが適切な方向に配向された状態でカートリッジが適切に取り付けられたときにのみ光源に電力を提供することは、ユーザに有益な操作フィードバックを提供する。その上、カートリッジの取り外し時に、搭載された電気的構成部品の通電解除を自動的に発生させることはまた、使いやすさ及び安全な動作を提供するために望ましい。上記の安全性の利益を提供する際、ユーザが、インサートを伴うカートリッジを、適切な配向でベース内へ挿入していることを確実にするために、交換可能なインサート及びベース上に構造的特徴を提供することも、有益である。電気的構成要素内に異物が挿入されて接触するリスクを最小化する比較的コンパクトな設計を有するベースであって、一部が高電圧を含むことがあるベースを提供することも有益である。誘引物組成物のカートリッジからの不用意な漏出によって起きるベースの電気的構成部品に対するハザードを最小化することも、望ましい。このように、安全でありながら全体として小型で審美的に心地のよい形状因子を有しつつ、上記の動作を行うための様々な回路機構を収納することができるベースを有することが望ましい。いくつかの構成において、ベースは、様々な回路機構を収納することに加えて、オーバーコールコンパクト設計及び安全性を維持しつつ、誘引物リザーバの少なくとも一部を収納することが望ましい。
【００５７】
本明細書に記載の様々な捕虫器によれば、回路基板（すなわち、図８Ａの回路基板１０６）が、ベース内に位置決めされる。一般に、回路基板は、電源（例えば、壁コンセント）から電力を受け取り、搭載された構成要素に電力を分配する。回路基板は、ベース内に縦に装着することができ、その結果、捕虫器が従来の壁コンセントに差し込まれるとき、内部の回路基板は、壁に略平行である。このような配置において、リザーバを有するインサートを有するカートリッジがベースに取り付けられると、回路基板は、（前方から捕虫器を見るとき）カートリッジのリザーバの後方に位置決めすることができ、その結果、誘虫組成物が回路機構に接触する可能性は、最小化される。回路基板を縦に位置決めすることはまた、コンパクトなベースを提供する働きをする。
【００５８】
回路基板、又は回路基板の集合は、電圧制御回路機構、コンデンサ、集積回路、抵抗器などの、これらに限定されない様々な構成部品を含むことができる。回路基板はまた、加熱素子及び光源などの、搭載された誘引物への電気の供給を制御することができるスイッチを含むことができる。例えば、スイッチが第１の（開）位置にあるとき、搭載された電気的誘引物の一部又は全部は、通電解除される。スイッチが第２の（閉）位置にあるとき、搭載された電気的誘引物の全ては、通電される。回路基板の縦配置に起因して、スイッチも、縦に配向され得る。回路基板上の大型の構成要素のための配置選択肢は、ベースの内部キャビティのサイズ制約によって少なくとも部分的に規定され得、コンパクトなベースを提供したいという願望とバランスがとられ得る。このようにして、大型の構成要素は、回路基板上の中央に位置付けることができ、他の低背型構成要素（スイッチなど）は、回路基板の中央から横方向に離間される。これにより、大型の構成要素を装着ポスト、ベースの曲率などと干渉しないように位置決めすることができ、ベースのオーバーコール形状因子は、概してコンパクトなままにすることができる。
【００５９】
ベースは、ベースの内部に装着されたスイッチへのアクセスを提供する開口部を含むことができる。スイッチへのアクセスを規制するために、開口部は、スイッチの上方に縦に位置決めされたスロットとすることができる。スロットは、タブがスイッチに係合することができるように、細長い実質的に平面状のタブがスロットを通過してベースのキャビティ内に入ることを可能にするようにサイズ決定することができる。しかしながら、狭くサイズ決定されたスロットは、他の異物がスロットを通過する能力を有益に制限する。上記で提供したように、スイッチは、回路基板の中心から横方向に離間することができる。したがって、スロットは、ベースの中心線からも横方向にオフセットすることができる。実質的に平面状のタブは、ユーザがカートリッジをベースに取り付けたときタブがスロット及びスイッチと位置合わせされるように、カートリッジの中心線から横方向にオフセットすることができる。
【００６０】
いくつかの場合において、スロットを通過するタブは、例えばスロット及びスイッチの狭い配置に適応するそれタブの相対的に薄いプロファイル及び長さのため、一定量の屈曲を有してもよい。このように、ベースのハウジングは、タブがスロットを通過するときガイドレールがタブをスイッチに向かって付勢するように、スイッチに近接して位置決めされた１つ又は２つ以上の縦ガイドレールを含むことができる。タブは、完全に挿入されると、スイッチとガイドレールとの間に位置決めすることができる。ガイドレールは、タブの相対的に薄いプロファイル及び柔軟性にもかかわらず、タブがスイッチに十分に係合することを確実にするように位置決め及び構成することができる。ガイドレールは、ガイドレールがスイッチに近接するように、ベースの中心線から横方向にオフセットして位置決めすることができる。ガイドレールは、実質的に回路基板から離れて突出し得るコンデンサ、電圧レギュレータ、トランスなどの回路基板に装着される大型の構成部品からオフセットすることができるので、このような横方向変位はまた、コンパクトなベースを提供することを補助することができる。
【００６１】
より詳細に後述するように、ユーザがインサートをシェル内に挿入してカートリッジを形成し、次いでカートリッジをベースに装着するとき、タブがスロットを通過してスイッチを閉じるように、タブは、交換可能なインサートから延在することができる。インサートは、虫を捕獲するための接着面を更に含むことができる。スイッチ及びスロットと適切に位置合わせするために、タブは、カートリッジの長手方向中心線から横方向にオフセットされる。上記のベースの有益な特徴に適応することに加えて、タブを横方向にオフセットすることは、装着中のカートリッジのベースに対する適切な配向を確実にする。このようにして、タブをスロット内に挿入することによって、インサートを含むカートリッジが適切な方向に向く（すなわち、接着面が外方に向く）ことを、ユーザに対して確実にする。スロット及びタブの配置はまた、ユーザがカートリッジをベースに対して横方向に配向することを補助する。
【００６２】
次に図３７を参照すると、横方向にオフセットされたタブ２０６４を有する例示的なインサート２０５０が描写されている。例示目的のために、インサート２０５０は接着部２０５２、リザーバ２０７６、及びフレーム２０４２を有するので、インサート２０５０は、図３１に示すインサート１６５０と同様である。しかしながら、本開示に記載のオフセットされたタブを有する他のインサートは、異なる構成を利用することができることが理解されるべきである。例えば、インサートは、リザーバ２０７６を有さなくてもよく、かつ／又はフレーム２０４２を有さなくてもよい。インサート２０５０は、頂部２０７０及び底部２０７２と、交換可能なインサートを側部に分割する頂部２０７０から底部２０７２まで延在する長手方向中心線２０９２とを有する。対称的なインサートについては、長手方向中心線は、インサートを２つの対称的な半体に分割する。非対称的なインサートについては、長手方向中心線は、その幾何学的中心を縦に通過する（すなわち、ベースに装着され、従来の壁コンセント差し込まれたときのカートリッジの構成に対して）。
【００６３】
図３７に示すように、タブ２０６４は、実質的に平面状の領域を有し、接着部２０５２から離れて（すなわち下方に）延在する細長いタブとすることができる。図示するように、いくつかの構成において、タブ２０６４の実質的に平面状の領域は、接着部２０５２と略平行とすることができる。タブ２０６４は、一方側に第１の側縁部２０４２を、他方側に第２側縁部２０４４を有することができる。タブ２０６４の構成によっては、図３７Ａに描写されるように、第１の側縁部２０４２及び第２の側縁部２０４４は、タブ１０６４の最近位点２０７０において合流することができ、又はさもなければ近位面によって接続することができる（例えば、図４１の近位縁２１７０を参照されたい）。タブ２０４４は、タブ２０４４がインサート２０５０の長手方向中心線２０９２から横方向にオフセットされるように、インサート２０５０に対して位置決めされる。図示するように、タブ２０６４のこの横方向へのオフセットのため、長手方向中心線２０９２は、タブ２０６４のいかなる部分とも重なっていない。この点で、タブ２０６４の第１の側縁部２０４２及び第２の側縁部２０４４は各々、インサート２０５０の長手方向中心線２０９２から横方向にオフセットされている（すなわち離間する）。タブ２０６４の幅のため、第２の側縁部２０４４は、第１の側縁部２０４２よりも長手方向中心線２０９２から横方向に更にオフセットされている。更に、第１の側縁部２０４２及び第２の側縁部２０４４は同じ横方向にオフセットされているので、タブ２０６４の第１の側縁部２０４２及び第２の側縁部２０４４の両方は、インサート２０５０の同じ横方向側部に位置する。
【００６４】
図３８は、ベース２０２２と係合することができるようにシェル２００２内に位置決めされたインサート２０９２を例示している。図示するように、ベース２００２は、シェル２２２内に受容される上方に延在するハウジング２０８を有する。シェル２０２２は、図４のシェル１２２と同様に構成することができ、シェル２０２２の一部分に力が印加されると、インサート２０５０が解放され、その底部開口部を通ってシェル２０２２から取り出すことができる。シェルは、虫が接着部１０５２にアクセスすることを可能にするための複数の開口部２０３２を画定することができる。カートリッジ２０１８がベース２００２に係合するとタブ２０６４が接触するスイッチ２０６０（図３９）が、位置付けられているベース２００２。タブ２０６４は、スイッチ２０６０にアクセスするために、スロット２０４４を通過してベース２０２２内に入ることができる。このように、より詳細に後述するように、スロット２０４４は、ベース２００２内に位置するスイッチ２０６０（図３９）の上方に位置決めされる。スロット２０４４は、一般に、狭いスリット状開口部であり、その深さよりも実質的に大きい幅を有する。スロット２０４４は、カートリッジ２０１８のベース２００２への取り付け中にタブ２０６４がスロット２０４４を通過することを可能にするようにサイズ決定される。タブ２０６４との適切な位置合わせを提供するために、スロット２０４４は、ベース２００２の中心線（図示せず）から横方向にオフセットされている。
【００６５】
ベース２００２内のスイッチ２０６０（図３９）は、カートリッジ２０１８がベース２００２に係合されてスイッチ２０６０が閉じているときにのみ誘虫物に通電することができるように、誘虫物（すなわち、加熱素子、光源など）の１つ又は２以上を動作させるように機能することができる。このようにして、カートリッジ２０１８がベース２００２から取り外されるとき、スイッチは、開かれ、電力は、搭載された誘虫物の少なくともいくつかから取り外される。
【００６６】
上記で提供したように、下方に垂下するタブ２０６４は、タブ２０６４の縦中心線がインサート２０５０の縦中心線からオフセットされるように位置決めされている。下方に垂下するタブ２０６４をオフセットすることは、カートリッジ２０１８をベース２００２と適切に位置合わせすることを補助する働きをする。より具体的には、カートリッジ２０１８は、タブ２０６４がスロット２０４４内に受容されるように、カートリッジ２０１８が適切な方向を向いているときにのみベース２００２内に完全に着座し得る。更に、接着部２０５２（図３７）が上方に延在するハウジング２００８と対向してではなくシェル２０２２の前面の開口部２０３１に隣接して位置決めされるように、タブ２０６４は、インサート２０５０がシェル２０２２内に適切に配置されることを保証するのを助けることができる。タブ２０６４は、インサート２０５０の挿入又は取り外し中にユーザのための便利な把持点として機能することもできる。タブ２０６４は、任意の好適な構成又は形状を有することができる。いくつかの構成において、下方に垂下するタブ２０６４は、その縦中間点において、インサート２０５０の底縁部の幅７５％未満である幅を有する。いくつかの構成において、下方に垂下するタブ２０６４は、その縦中間点において、インサート２０５０の底縁部の幅５０％未満である幅を有する。いくつかの構成において、下方に垂下するタブ２０６４は、その縦中間点において、インサート２０５０の底縁部の幅２５％未満である幅を有する。いくつかの構成において、下方に垂下するタブ２０６４は、その縦中間点において、インサート２０５０の底縁部の幅１０％未満である幅を有する。
【００６７】
図３９は、カートリッジ２０１８が設置された、ベース２００２によって画定されるチャンバ２００４の部分的切欠図を描写する。回路基板２０７４が、ベース２００２内に縦に配向されるように示されている。回路基板２０７４からから離れて、かつチャンバ２００４へと延在する様々な電気的構成要素が、回路基板２０７４に連結されている。より大型の構成要素は、サイズ制約に起因して、かつチャンバ２００４内の他の障害物との干渉を排除解消するために、回路基板２０７４上の中央に位置付けることができる。例えば、より大型の構成要素を、装着ポスト２０２４間に横方向に配置することができる。インサート２０５０のタブ２０６４は、スロット２０４４を通ってチャンバ２００４内に延在するように示されている（図３８）。回路基板２０７４に連結されたスイッチ２０６０に接触し、それによってスイッチ２０６０を閉じるタブ２０６４が、示されている。スイッチは、細長いタブがスイッチのレバーに摺動可能に係合してスイッチを閉じるように、縦に配向される。スイッチ２０６０を閉じることは、加熱素子及び光源などの、ベース２００２の様々な構成要素に通電する。ベース２００２はまた、スイッチ２０６０と対向しかつ外方に離間して配置された１つ又は２つ以上のガイドレール２０２６を含むことができる。ガイドレール２０２６は、タブ２０６４がスロット２０４４を通過するとき、ガイドレール２０２６がタブ２０６４をスイッチ２０６０に対して付勢するように構成することができ、タブ２０６４は、その薄く細長い構成のため、さもなければ外方に屈曲するおそれがある。いくつかの構成において、ガイドポスト２０２６は、ベース２００２と一体型である。
【００６８】
図４０Ａ〜４０Ｂは、タブ２０６４がスイッチ２０６０（概略的に点線で示す）に接触してスイッチ２０６０を開位置（図４０Ａ）から閉位置（図４０Ｂ）に移動させるように、ベース２００２に連結されているカートリッジ２０１８の側面図を示す。カートリッジ２０１８をベース２００２に連結して使用のために捕虫器２０００を準備するために、上方に延在するハウジング２００８が図４０Ａに示すようにシェル２０２２内に受容され、接着部２０５２（図３７）の後面と後部ハウジング２０２８の内面との間に位置するように、カートリッジ２０１８を上方に延在するハウジング２００８の上に下降させる。ベース２００２は、カートリッジ２０１８をベース２００２に機械的に係合するためにシェル２０２２の底部と係合してもよい。インサート２０５０から下方に延在するタブ２０６４は、ベース２００２のスロット２０４４（図３８）を通過してスイッチ２０６０を閉じることができる。ガイドレール２０２６（図３９）は、タブ２０６４をスイッチ２０６０に対して付勢するのを補助することができる。ひとたびスイッチ２０６０が閉じると、発熱素子、光源などの様々な搭載された電気的構成要素に通電することができる。次いで、虫を誘引して固定化するために捕虫器２０００を動作させることができる。誘虫組成物が使い尽くされたとき、及び／又は接着部２０５２が交換される必要があるときなどの後の時点において、カートリッジ２０１８は、ユーザによってベース２００２から係脱されてもよい。係脱すると、タブ２０６４は、タブ２０６４がその常時開状態に戻るように、もはやスイッチ２０６０を閉じなくなる。次いで、インサート２０５０は、例えば図８Ｂに関して上記で提供するように、シェル２０２２から取り外し、未使用のインサートと交換することができる。
【００６９】
本開示の範囲を逸脱することなく、種々のタブ構成を利用することができることが理解されるべきである。例えば、タブのサイズ、位置、及び構造は、様々であり得る。例示の目的のため、種々の異なる例示的なタブ構成が、図４１〜４４に描写されている。まず図４１を参照すると、インサート２１５０の最下部が示されており、インサート２１５０は、長手方向中心線２１９２を有する。長手方向中心線２１９２は、インサート２１５０を側部に分割する。インサート２１５０はまた、フレーム２１６６を有する。インサート２１５０の最下部はまた、細長い実質的に平面状のタブ２１６４を含む。この構成において、フレーム２１６６は、フレーム２１６６がタブ２１６４の外周を画定するように、タブ２１６４の輪郭に概して追従する。タブ２１６４は、第１の側縁部２１４２及び第２の側縁部２１４４を有する。タブ２１６４の構成のため、近位縁２１７０は、タブ２１６４の外周が第１の側縁部２１４２、近位縁２１７０、及び第２の側縁部２１４４によって集合的に画定されるように、第１の側縁部２１４２と第２の側縁部２１４４とを接続する。
【００７０】
この構成において、横幅（Ｗｔ）として示されるタブ２１６４の最大横幅は、第１の側縁部２１４２と第２の側縁部２１４４との間の、それらの分離が最も広い点における距離として定義される。タブ２１６４の横幅は、幅（Ｗｉ）として示されるインサート２１５０の最下部体の横幅の２５％未満とすることができる。横幅（Ｗｔ）は、約１ｍｍ〜１４ｍｍ、好ましくは約５ｍｍ〜約１３ｍｍとすることができ、長手方向長さは、約８ｍｍ〜約５０ｍｍ、好ましくは約１０ｍｍから約１８ｍｍとすることができる。（Ｌ）と示されるタブ２１６４の長手方向長さは、約８ｍｍ〜約５０ｍｍ、好ましくは約１０ｍｍ〜約１８ｍｍである。タブ２１６４は、約０．０５ｍｍ〜約３ｍｍ、好ましくは約１ｍｍ〜約２ｍｍの最大厚さを有することができる。タブ２１６４は、タブ２１６４の幾何学的中心２１７２を通って縦に延在し、かつ長手方向中心線２１９２に平行である、長手方向中心線２１９４を画定する。タブ２１６４は対称的であるため、長手方向中心線２１９４は、タブ２１６４を２つの対称的な半体に分割する。タブ２１６４の長手方向中心線２１９４は、インサート２１５０の長手方向中心線２１９２から距離（Ｄ）だけオフセットされている。いくつかの構成において、距離（Ｄ）は、約１１ｍｍ〜約１５ｍｍの範囲である。図示するように、この距離（Ｄ）のため、長手方向中心線２１９２は、タブ２１６４のいかなる部分とも重なっていない。タブ２１６４の第１の側縁部２１４２及び第２の側縁部２１４４は各々、インサート２１５０の長手方向中心線２１９２から横方向にオフセットされている（すなわち、離間している）。タブ２１６４の幅（Ｗｔ）のため、第２の側縁部２１４４は、第１の側縁部２１４２よりも長手方向中心線２１９２から横方向に更にオフセットされている。更に、第１の側縁部２１４２及び第２の側縁部２１４４は同じ横方向にオフセットされているので、タブ２１６４の第１の側縁部２１４２及び第２の側縁部２１４４の両方は、インサート２１５０の同じ横方向側部に位置する。
【００７１】
次に図４２を参照すると、インサート２２５０の最下部が示されており、インサート２２５０は、長手方向中心線２２９２を有する。長手方向中心線２２９２は、インサート２２５０を側部に分割する。インサート２２５０は、フレーム２２６６を有する。インサート２２５０の最下部は、細長い実質的に平面状のタブ２２６４を含む。この構成において、フレーム２２６６は、一般に、インサート２２５０の最下部を横切って延在し、タブ２２６４は、フレーム２２６６から下方に延在する。タブ２２６４は、第１の側縁部２２４２及び第２の側縁部２２４４を有し、その両方は、湾曲し合流する。この構成において、タブ２２６４の横幅は、タブ２２６４がフレーム２２６６と交わる頂端（すなわち、遠位端）よりも近位端（すなわち、底部）において狭い。タブ２２６４はまた、タブ２２６４の幾何学的中心２２７２を通って縦に延在し、長手方向中心線２２９２に平行である長手方向中心線２２９４を画定する。タブ２２６４の長手方向中心線２２９４は、インサート２２５０の長手方向中心線２２９２から距離（Ｄ）だけオフセットされている。いくつかの構成において、距離（Ｄ）は、約１１ｍｍ〜約１５ｍｍの範囲である。
【００７２】
次に図４３を参照すると、インサート２３５０の最下部が示されており、インサート２３５０は、長手方向中心線２３９２を有する。長手方向中心線２３９２は、インサート２３５０を側部に分割する。インサート２３５０は、横方向に延在するリブ２３４８を有する。インサート２３５０は、細長い実質的に平面状のタブ２３６４を含む。この構成において、フレーム２３６６は、タブ２３６４がフレーム２３６６と一体型であるように、タブ２３６４の全体を形成する。タブ２３６４は、第１の側縁部２３４２及び第２の側縁部２３４４を有する。タブ２３６４は、タブ２３６４の幾何学的中心２３７２を通って縦に延在し、長手方向中心線２３９２に平行である長手方向中心線２３９４を画定する。タブ２３６４の長手方向中心線２３９４は、インサート２３５０の長手方向中心線２３９２から距離（Ｄ）だけオフセットされている。いくつかの構成において、距離（Ｄ）は、約１１ｍｍ〜約１５ｍｍの範囲である。
【００７３】
次に図４４を参照すると、インサート２４５０の最下部が示されており、インサート２４５０は、長手方向中心線２４９２を有する。長手方向中心線２４９２は、カートリッジ２４１８を側部に分割する。インサート２４５０の最下部は、細長い実質的に平面状のタブ２４６４を含む。この構成において、タブ２４６４は、不規則な形状であるように示されている。タブ２４６４は、第１の側縁部２４４２及び第２の側縁部２４６４を有し、その各々は、タブ２４６４の輪郭に応じて、直線セグメント及び曲線セグメントからなり得る。タブ２４６４は、タブ２４６４の幾何学的中心２４７２を通って縦に延在し、長手方向中心線２４９２に平行である長手方向中心線２４９４を画定する。タブ２４６４の長手方向中心線２４９４は、カートリッジ２４１８の長手方向中心線２４９２から距離（Ｄ）だけオフセットされている。いくつかの構成において、距離（Ｄ）は、約１１ｍｍ〜約１５ｍｍの範囲である。
【００７４】
タブ２４６４はまた、タブ２４６４の最下の平面部である底部２４９８を有する。底部２４９８は、最近位点（すなわち、底部点）から遠位にタブ２４６４の頂部に向かって上方に延在している。底部の頂縁部は、高さ（Ｘ）によって定義される。高さ（Ｘ）は、少なくとも１０ｍｍとすることができる。底部２４９８は、第１の側縁部２４６６及び第２の側縁部２４６８の少なくとも一部分を含む。第１の側縁部２４６６の底部２４９８内にある部分は、インサート２４５０の長手方向中心線２４９２からオフセットされている。第１の側縁部２４６６の底部２４９８内にあり、かつカートリッジ２４１８の長手方向中心線２４９２に最も近接している部分は、横方向距離（Ｙ）だけ横方向にオフセットされている。様々な実施形態によれば、横方向距離（Ｙ）は、少なくとも７ｍｍとすることができる。更に、タブ２４６４の底部２４９８の最大全幅は、約１ｍｍ〜約２４ｍｍとすることができる。
【００７５】
本明細書に開示されている寸法及び／又は値は、列挙した正確な数値寸法及び／又は値に厳しく制限されるものとして理解すべきではない。むしろ、別段の指定のない限り、このような寸法及び／若しくは値のそれぞれは、列挙した寸法及び／若しくは値、並びに／又はその寸法及び／若しくは値の近辺の機能的に同等の範囲の両方を意味することを意図している。例えば、「４０ｍｍ」として開示される寸法は、「約４０ｍｍ」を意味するものとする。
【００７６】
あらゆる相互参照又は関連特許若しくは関連出願を含む、本明細書で引用される全ての文献は、明確に除外ないしは別の方法で限定されない限り、その全体が本明細書に参照として組み込まれる。いかなる文献の引用も、本明細書中で開示又は特許請求されている任意の発明に関する先行技術であることを認めるものではなく、あるいは上記の引用が、単独で又は任意の他の参考文献（単数又は複数）と組み合わせて、任意のそのような発明を教示、示唆、又は開示することを認めるものではない。更に、本文書における用語の任意の意味又は定義が、参照により組み込まれた文書内の同じ用語の意味又は定義と矛盾する場合、本文書におけるその用語に割り当てられた意味又は定義が適用されるものとする。
【００７７】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020202871.tif 000003
【図２】
2020202871.tif 000004
【図３Ａ】
2020202871.tif 000005
【図３Ｂ】
2020202871.tif 000006
【図４】
2020202871.tif 000007
【図５】
2020202871.tif 000008
【図６】
2020202871.tif 000009
【図７】
2020202871.tif 000010
【図８Ａ】
2020202871.tif 000011
【図８Ｂ】
2020202871.tif 000012
【図９】
2020202871.tif 000013
【図１０】
2020202871.tif 000014
【図１１】
2020202871.tif 000015
【図１２】
2020202871.tif 000016
【図１３】
2020202871.tif 000017
【図１４】
2020202871.tif 000018
【図１５Ａ】
2020202871.tif 000019
【図１５Ｂ】
2020202871.tif 000020
【図１６Ａ】
2020202871.tif 000021
【図１６Ｂ】
2020202871.tif 000022
【図１７】
2020202871.tif 000023
【図１８】
2020202871.tif 000024
【図１９Ａ】
2020202871.tif 000025
【図１９Ｂ】
2020202871.tif 000026
【図２０Ａ】
2020202871.tif 000027
【図２０Ｂ】
2020202871.tif 000028
【図２１】
2020202871.tif 000029
【図２２】
2020202871.tif 000030
【図２３】
2020202871.tif 000031
【図２４】
2020202871.tif 000032
【図２５】
2020202871.tif 000033
【図２６】
2020202871.tif 000034
【図２７】
2020202871.tif 000035
【図２８】
2020202871.tif 000036
【図２９】
2020202871.tif 000037
【図３０】
2020202871.tif 000038
【図３１】
2020202871.tif 000039
【図３２】
2020202871.tif 000040
【図３３】
2020202871.tif 000041
【図３４】
2020202871.tif 000042
【図３５】
2020202871.tif 000043
【図３６】
2020202871.tif 000044
【図３７】
2020202871.tif 000045
【図３８】
2020202871.tif 000046
【図３９】
2020202871.tif 000047
【図４０Ａ】
2020202871.tif 000048
【図４０Ｂ】
2020202871.tif 000049
【図４１】
2020202871.tif 000050
【図４２】
2020202871.tif 000051
【図４３】
2020202871.tif 000052
【図４４】
2020202871.tif 000053
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
交換可能なインサートと、
前記交換可能なインサートが挿入可能なシェルと、
を備え、
前記交換可能なインサートは、
頂部及び底部、並びに前記頂部から前記底部に延在して前記交換可能なインサートを横方向側部に分割する長手方向中心線を有する、虫を捕獲するための細長い平面状の接着面と、
第１の側縁部及び第２の側縁部を有する平面状の細長い第１のタブであって、前記第１のタブは、前記接着面から離れて延在し、前記タブの前記第１の側縁部及び前記第２の側縁部は各々、前記長手方向中心線から横方向にオフセットされ、前記交換可能なインサートの同じ横方向側部に位置する、第１のタブと、
前記頂部に近接して位置する肩部と
を有し、
前記シェルは、前記頂部に近接して位置決めされた押下可能な第２のタブと、前記第２のタブに連結され前記シェル内部に位置し前記第２のタブが押下されると回動可能であるフランジとを有し、
前記交換可能なインサートが前記シェルに挿入されたときに前記肩部が前記フランジに機械的に係合し、前記肩部と前記フランジとが機械的に係合しているときに前記第２のタブが押下されると前記フランジの回動によって前記肩部が係脱される、捕虫カートリッジ。
【請求項２】
前記第１のタブは、１ｍｍ〜１４ｍｍの幅、及び８ｍｍ〜５０ｍｍの長手方向長さ、及び８ｍｍ〜５０ｍｍの長さを有する、請求項１に記載の捕虫カートリッジ。
【請求項３】
前記接着面を少なくとも部分的に取り囲むフレームを更に備える、請求項１〜２のいずれか一項に記載の捕虫カートリッジ。
【請求項４】
前記第１のタブは、前記フレームから垂下する、請求項３に記載の捕虫カートリッジ。
【請求項５】
前記第１のタブは、前記フレームと一体的である、請求項３に記載の捕虫カートリッジ。
【請求項６】
前記インサートは、２ｃｍ〜１０ｃｍの全長、及び２ｃｍ〜９ｃｍの全幅を有する、請求項１〜５のいずれか一項に記載の捕虫カートリッジ。
【請求項７】
前記インサートは、０．０５〜３ｍｍの全厚を有する、請求項１〜６のいずれか一項に記載の捕虫カートリッジ。
【請求項８】
前記接着面は、１．５ｃｍ〜９．５ｃｍの全長、及び１．５ｃｍ〜８．５ｃｍの全幅を有する、請求項１〜７のいずれか一項に記載の捕虫カートリッジ。
【請求項９】
前記第１のタブは、前記接着面と同じ平面内で離れて延在する、請求項１〜８のいずれか一項に記載の捕虫カートリッジ。
【請求項１０】
前記第１のタブは、底部の最近位点から少なくとも１０ｍｍ遠位に延在する長手方向長さを有する前記底部を有する、請求項１〜９のいずれか一項に記載の捕虫カートリッジ。
【請求項１１】
前記第１のタブの前記底部は、１ｍｍ〜１４ｍｍの最大全幅、及び８ｍｍ〜５０ｍｍの長手方向長さを有する、請求項１０に記載の捕虫カートリッジ。
【請求項１２】
交換可能なインサートと、
前記交換可能なインサートが挿入可能なシェルと、
を備え、
前記交換可能なインサートは、
頂部及び底部、並びに前記頂部から前記底部に延在する長手方向中心線を有する、虫を捕獲するための細長い平面状の接着面と、
平面状の領域を有し、前記接着面から離れて延在する細長い第１のタブであって、前記第１のタブの前記平面状の領域は、前記長手方向中心線と重ならない、細長い第１のタブと、
前記頂部に近接して位置する肩部と
を有し、
前記第１のタブの前記長手方向中心線は、前記接着面の前記長手方向中心線から１１ｍｍ〜１５ｍｍ横方向にオフセットされ、
前記第１のタブは、前記底部の前記幅の２５％未満である幅を有し、
前記シェルは前記交換可能なインサートが挿入可能であり、前記頂部に近接して位置決めされた押下可能な第２のタブと、前記第２のタブに連結され前記シェル内部に位置し前記第２のタブが押下されると回動可能であるフランジとを有し、
前記交換可能なインサートが前記シェルに挿入されたときに記肩部が前記フランジに機械的に係合し、前記肩部と前記フランジとが機械的に係合しているときに前記第２のタブが押下されると前記フランジの回動によって前記肩部が係脱される、捕虫カートリッジ。
【請求項１３】
前記第１のタブは、１ｍｍ〜１４ｍｍの幅、及び８ｍｍ〜５０ｍｍの長手方向長さ、及び８ｍｍ〜５０ｍｍの長さを有する、請求項１２に記載の捕虫カートリッジ。
【請求項１４】
前記接着面を少なくとも部分的に取り囲むフレームを更に備える、請求項１２及び１３のいずれか一項に記載の捕虫カートリッジ。
【請求項１５】
前記第１のタブは、前記フレームから垂下する、請求項１４に記載の捕虫カートリッジ。
【請求項１６】
前記第１のタブは、前記フレームと一体型である、請求項１４に記載の捕虫カートリッジ。
【請求項１７】
前記インサートは、２ｃｍ〜１０ｃｍの全長、及び２ｃｍ〜９ｃｍの全幅を有する、請求項１２及び１６のいずれか一項に記載の捕虫カートリッジ。
【請求項１８】
前記インサートは、０．０５〜３ｍｍの全厚を有する、請求項１２及び１７のいずれか一項に記載の捕虫カートリッジ。
【請求項１９】
前記接着面は、１．５ｃｍ〜９．５ｃｍの全長、及び１．５ｃｍ〜８．５ｃｍの全幅を有する、請求項１２及び１８のいずれか一項に記載の捕虫カートリッジ。
【請求項２０】
前記第１のタブは、前記接着面と同じ平面内で離れて延在する、請求項１２及び１９のいずれか一項に記載の捕虫カートリッジ。
【請求項２１】
前記第１のタブは、底部の最近位点から少なくとも１０ｍｍ遠位に延在する長手方向長さを有する前記底部を有する、請求項１２及び２０のいずれか一項に記載の捕虫カートリッジ。
【請求項２２】
前記第１のタブの前記底部は、１ｍｍ〜１４ｍｍの最大全幅、及び８ｍｍ〜５０ｍｍの長手方向長さを有する、請求項２１に記載の捕虫カートリッジ。
【請求項２３】
交換可能なインサートと、
前記交換可能なインサートが挿入可能なシェルと、
を備え、
前記交換可能なインサートは、
頂部及び底部、並びに前記頂部から前記底部に延在する長手方向中心線を有する、虫を捕獲するための細長い平面状の接着面と、
長手方向中心線を有する平面状の細長い第１のタブであって、前記第１のタブは、前記接着面から離れるように延在し、前記第１のタブの前記長手方向中心線は、前記接着面の前記長手方向中心線から１１ｍｍ〜１５ｍｍ横方向にオフセットされている、第１のタブと、
前記頂部に近接して位置する肩部と
を有し、
前記第１のタブは、前記底部の前記幅の２５％未満である幅を有し、
前記シェルは、前記頂部に近接して位置決めされた押下可能な第２のタブと、前記第２のタブに連結され前記シェル内部に位置し前記第２のタブが押下されると回動可能であるフランジとを有し、
前記交換可能なインサートが前記シェルに挿入されたときに前記肩部が前記フランジに機械的に係合し、前記肩部と前記フランジとが機械的に係合しているときに前記第２のタブが押下されると前記フランジの回動によって前記肩部が係脱される、捕虫カートリッジ。
【請求項２４】
前記第１のタブは、１ｍｍ〜１４ｍｍの幅、及び８ｍｍ〜５０ｍｍの長手方向長さ、及び８ｍｍ〜５０ｍｍの長さを有する、請求項２３に記載の捕虫カートリッジ。
【請求項２５】
前記接着面を少なくとも部分的に取り囲むフレームを更に備える、請求項２３及び２４のいずれか一項に記載の捕虫カートリッジ。
【請求項２６】
前記第１のタブは、前記フレームから垂下する、請求項２５に記載の捕虫カートリッジ。
【請求項２７】
前記第１のタブは、前記フレームと一体型である、請求項２５に記載の捕虫カートリッジ。
【請求項２８】
前記インサートは、２ｃｍ〜１０ｃｍの全長、及び２ｃｍ〜９ｃｍの全幅を有する、請求項２３及び２７のいずれか一項に記載の捕虫カートリッジ。
【請求項２９】
前記インサートは、０．０５〜３ｍｍの全厚を有する、請求項２３及び２８のいずれか一項に記載の捕虫カートリッジ。
【請求項３０】
前記接着面は、１．５ｃｍ〜９．５ｃｍの全長、及び１．５ｃｍ〜８．５ｃｍの全幅を有する、請求項２３及び２８のいずれか一項に記載の捕虫カートリッジ。
【請求項３１】
前記第１のタブは、前記接着面と同じ平面内で離れて延在する、請求項２３及び３０のいずれか一項に記載の捕虫カートリッジ。
【請求項３２】
前記第１のタブは、底部の最近位点から少なくとも１０ｍｍ遠位に延在する長手方向長さを有する前記底部を有する、請求項２３及び３１のいずれか一項に記載の捕虫カートリッジ。
【請求項３３】
前記第１のタブの前記底部は、１ｍｍ〜１４ｍｍの最大全幅、及び８ｍｍ〜５０ｍｍの長手方向長さを有する、請求項３２に記載の捕虫カートリッジ。